(57)【特許請求の範囲】
【請求項１】
撮影室内に、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置に放射線を照射する放射線源と、
前記可搬型放射線画像撮影装置を装填可能な複数のブッキー装置と、
前記各ブッキー装置に対応付けられた各表示手段と、
を備え、
撮影室外に、
前記可搬型放射線画像撮影装置と通信可能で、かつ、前記可搬型放射線画像撮影装置がいずれの前記ブッキー装置に装填されているかを管理するコンソール
を備え、
前記可搬型放射線画像撮影装置は、読み出した前記画像データから所定の割合でデータを間引いた間引きデータを作成して前記コンソールに送信し、
前記コンソールは、
前記各ブッキー装置を用いて行われる撮影の順番を把握するように構成されており、
前記可搬型放射線画像撮影装置から前記間引きデータが送信されてくると、前記各表示手段のうち、前記順番における次の撮影で前記可搬型放射線画像撮影装置が装填されて用いられる前記ブッキー装置に対応付けられた前記表示手段に前記間引きデータを送信して、当該表示手段に前記間引きデータに基づくプレビュー画像を表示させることを特徴とする放射線画像撮影システム。
【請求項２】
前記可搬型放射線画像撮影装置は、前記コンソールに前記間引きデータを送信した後、全ての前記画像データ、または、全ての前記画像データから前記間引きデータを除外した残りの前記画像データを前記コンソールに送信することを特徴とする請求項１に記載の放射線画像撮影システム。
【請求項３】
前記コンソールは、前記順番における次の撮影で、前記可搬型放射線画像撮影装置が前記ブッキー装置に装填されずに単独の状態で用いられる場合には、いずれかの前記ブッキー装置に対応付けられた前記表示手段に前記間引きデータを送信して、当該表示手段に前記間引きデータに基づくプレビュー画像を表示させることを特徴とする請求項１または請求項２に記載の放射線画像撮影システム。
【請求項４】
前記いずれかのブッキー装置に対応付けられた前記表示手段は、予め定められた特定の前記ブッキー装置に対応付けられた前記表示手段であることを特徴とする請求項３に記載の放射線画像撮影システム。
【請求項５】
撮影室内に、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置に放射線を照射する放射線源と、
前記可搬型放射線画像撮影装置を装填可能な複数のブッキー装置と、
前記各ブッキー装置に対応付けられた各表示手段と、
前記可搬型放射線画像撮影装置から前記表示手段へのデータの送信を中継するとともに、前記各表示手段のうちのいずれの前記表示手段にデータを送信するかを設定することが可能な中継器と、
を備え、
撮影室外に、
前記可搬型放射線画像撮影装置と通信可能で、かつ、前記可搬型放射線画像撮影装置がいずれの前記ブッキー装置に装填されているかを管理するコンソール
を備え、
前記可搬型放射線画像撮影装置は、読み出した前記画像データから所定の割合でデータを間引いた間引きデータを作成して、前記中継器に送信し、
前記中継器は、前記可搬型放射線画像撮影装置から前記間引きデータが送信されてくると、当該間引きデータを設定された前記表示手段に送信して、当該表示手段に前記間引きデータに基づくプレビュー画像を表示させることを特徴とする放射線画像撮影システム。
【請求項６】
前記可搬型放射線画像撮影装置は、前記中継器に前記間引きデータを送信した後、全ての前記画像データを前記コンソールに送信することを特徴とする請求項５に記載の放射線画像撮影システム。
【請求項７】
前記プレビュー画像が表示された前記表示手段に対して、当該撮影を承認する旨を表す信号または当該撮影を承認しない旨を表す信号を入力することができるように構成されていることを特徴とする請求項１から請求項６のいずれか一項に記載の放射線画像撮影システム。
【発明の詳細な説明】
【技術分野】
【０００１】
本発明は、放射線画像撮影システムに係り、特に、放射線画像撮影装置で撮影した画像のプレビュー画像を表示可能な放射線画像撮影システムに関する。
【背景技術】
【０００２】
病気診断等を目的として、Ｘ線画像に代表される放射線を用いて撮影された放射線画像が広く用いられている。こうした医療用の放射線画像は、従来からスクリーンフィルムを用いて撮影されていたが、放射線画像のデジタル化を図るために輝尽性蛍光体シートを用いたＣＲ（Computed Radiography）装置が開発され、最近では、照射された放射線を、２次元状に配置された放射線検出素子で検出して、デジタル画像データとして取得する放射線画像撮影装置が開発されている。
【０００３】
このタイプの放射線画像撮影装置はＦＰＤ（Flat Panel Detector）として知られており、従来は支持台と一体的に形成された、いわゆる専用機型の放射線画像撮影装置として形成されていた（例えば特許文献１参照）。しかし、近年、放射線検出素子等をハウジングに収納して可搬とされた可搬型の放射線画像撮影装置が開発され、実用化されている（例えば特許文献２、３参照）。また、このような可搬型の放射線画像撮影装置では、バッテリを内蔵し、信号やデータ等の送受信をアンテナ装置を介した電波のやりとりで行う放射線画像撮影装置が開発されている（例えば特許文献４等参照）。
【０００４】
また、放射線画像撮影装置としては、照射されたＸ線等の放射線の線量に応じて検出素子で電荷を発生させて電気信号に変換するいわゆる直接型の放射線画像撮影装置や、照射された放射線をシンチレータ等で可視光等の他の波長の電磁波に変換した後、変換され照射された電磁波のエネルギに応じてフォトダイオード等の光電変換素子で電荷を発生させて電気信号に変換するいわゆる間接型の放射線画像撮影装置が種々開発されている。なお、本発明では、直接型の放射線画像撮影装置における検出素子や、間接型の放射線画像撮影装置における光電変換素子を、あわせて放射線検出素子という。
【０００５】
ところで、このような放射線画像撮影装置で患者等の被写体を撮影する場合、撮影した画像データをコンソール等に送信して本格的な画像処理を行って最終的な放射線画像を生成する前に、まず、画像中に被写体が適切に撮影されているか否か、すなわちそもそも被写体が撮影されているか否かや、画像中の被写体のポジショニングの良否等を確認して、再撮影が必要か否かを判断することが必要となる。
【０００６】
そのため、放射線画像撮影で得られた画像データをコンソール等に送信して、画像を表示させ、放射線技師等の撮影者が表示された画像を確認して再撮影の要否の判断を行うように構成される場合が多い。
【０００７】
その際、放射線画像撮影で得られた全ての画像データ（すなわちいわゆるrawデータ）をコンソールに送信すると、データの送信に時間がかかり、画像が表示されるまでに長い時間がかかるようになる。しかし、画像の表示までに時間がかかり、それを見て再撮影の要否を判断するようでは、患者を長い時間待たせなければならなくなり、患者にかかる負担が大きくなる等の問題がある。
【０００８】
そこで、例えば特許文献５に記載されているように、例えば、放射線画像撮影装置で、画像データから所定の割合でデータを間引いてデータ量を減少させた間引きデータを作成し、全画像データの送信より先に、間引きデータをコンソールに送信するように構成することができる。このように構成すれば、間引きデータに基づくプレビュー画像をコンソール上に速やかに表示することが可能となり、被写体のポジショニング確認に基づく再撮影の要否判断のために患者を待たせる時間が短くなり、患者にかかる負担を軽減することが可能となる等の利点がある。
【先行技術文献】
【特許文献】
【０００９】
【特許文献１】特許第３６３９７５０号公報
【特許文献２】特開２００６−０５８１２４号公報
【特許文献３】特開平６−３４２０９９号公報
【特許文献４】特開平７−１４０２５５号公報
【特許文献５】特開２０１０−２１３９１７号公報
【発明の概要】
【発明が解決しようとする課題】
【００１０】
ところで、放射線画像撮影における撮影者の動作（すなわち作業動線）を考えた場合、放射線技師等の撮影者は、まず、撮影室で患者と放射線画像撮影装置と放射線源等との位置関係を調整した後、前室（操作室等ともいう。）に移動し、放射線発生装置に備えられた曝射スイッチを操作して放射線源から患者である被写体に対して放射線を照射させる。
【００１１】
そして、前室に設けられたコンソールの表示部にプレビュー画像が表示されるまで前室で待機し、放射線の照射が終了してから数秒後にプレビュー画像が表示されると、それを確認して再撮影の要否を判断することになる。
【００１２】
しかしながら、例えば、同じ患者に対して複数回の撮影を行って患者の身体の異なる部位を撮影するような場合、放射線の照射が終了するごとに、すぐに撮影室に戻って患者のポーズを変えさせたり、或いは別の撮影装置に患者を導くなど、次の撮影の準備を早急に始めたいと思う撮影者も少なくない。
【００１３】
そのような場合に、放射線の照射が終了したにもかかわらず、前室でプレビュー画像が表示されるまで待機しなければならなくなると、撮影者が違和感や焦燥感を覚えたり、或いは、放射線画像撮影システムが使い勝手が悪いものであると感じるようになる虞れがある。
【００１４】
本発明は、上記の問題点を鑑みてなされたものであり、放射線技師等の撮影者が放射線の照射終了後にただちに撮影室に移動して次の撮影の準備を開始することが可能で、撮影者にとって使い勝手の良い放射線画像撮影システムを提供することを目的とする。
【課題を解決するための手段】
【００１５】
前記の問題を解決するために、本発明の放射線画像撮影システムは、
撮影室内に、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置に放射線を照射する放射線源と、
前記可搬型放射線画像撮影装置を装填可能な複数のブッキー装置と、
前記各ブッキー装置に対応付けられた各表示手段と、
を備え、
撮影室外に、
前記可搬型放射線画像撮影装置と通信可能で、かつ、前記可搬型放射線画像撮影装置がいずれの前記ブッキー装置に装填されているかを管理するコンソール
を備え、
前記可搬型放射線画像撮影装置は、読み出した前記画像データから所定の割合でデータを間引いた間引きデータを作成して前記コンソールに送信し、
前記コンソールは、
前記各ブッキー装置を用いて行われる撮影の順番を把握するように構成されており、
前記可搬型放射線画像撮影装置から前記間引きデータが送信されてくると、前記各表示手段のうち、前記順番における次の撮影で前記可搬型放射線画像撮影装置が装填されて用いられる前記ブッキー装置に対応付けられた前記表示手段に前記間引きデータを送信して、当該表示手段に前記間引きデータに基づくプレビュー画像を表示させることを特徴とする。
【００１７】
さらに、本発明の放射線画像撮影システムは、
撮影室内に、
二次元状に配列された複数の放射線検出素子を備え、放射線の照射により前記各放射線検出素子内で発生した電荷を画像データとして読み出す可搬型放射線画像撮影装置と、
前記可搬型放射線画像撮影装置に放射線を照射する放射線源と、
前記可搬型放射線画像撮影装置を装填可能な複数のブッキー装置と、
前記各ブッキー装置に対応付けられた各表示手段と、
前記可搬型放射線画像撮影装置から前記表示手段へのデータの送信を中継するとともに、前記各表示手段のうちのいずれの前記表示手段にデータを送信するかを設定することが可能な中継器と、
を備え、
撮影室外に、
前記可搬型放射線画像撮影装置と通信可能で、かつ、前記可搬型放射線画像撮影装置がいずれの前記ブッキー装置に装填されているかを管理するコンソール
を備え、
前記可搬型放射線画像撮影装置は、読み出した前記画像データから所定の割合でデータを間引いた間引きデータを作成して、前記中継器に送信し、
前記中継器は、前記可搬型放射線画像撮影装置から前記間引きデータが送信されてくると、当該間引きデータを設定された前記表示手段に送信して、当該表示手段に前記間引きデータに基づくプレビュー画像を表示させることを特徴とする。
【発明の効果】
【００１８】
本発明のような方式の放射線画像撮影システムによれば、従来のシステムのように撮影者が曝射スイッチを操作して放射線を照射させた後も前室に残ってコンソールの表示部上にプレビュー画像が表示されるまで待機する必要がなく、撮影者は、放射線の照射終了後、ただちに撮影室に移動して撮影室内の表示手段上でプレビューを確認することが可能となる。
【００１９】
そのため、撮影者が、速やかに次の撮影の準備を開始したり、再撮影に向けて準備する等の必要な行動をとることが可能となり、撮影者が違和感や焦燥感を覚えることがなくなり、放射線画像撮影システムを撮影者にとって使い勝手が良いものとすることが可能となる。
【００２０】
また、このように、撮影者が、速やかに次の撮影の準備を開始したり、再撮影に向けて準備する等の必要な行動をとることが可能となるため、前述したように、例えば、同じ患者に対して複数回の撮影を行って患者の身体の異なる部位を撮影するような場合には、複数の撮影をスムーズに行うことが可能となり、この点でも、撮影者にとって放射線画像撮影システムが使い勝手の良いものとなる。
【図面の簡単な説明】
【００２１】
【図１】各実施形態に係る放射線画像撮影システムの全体構成を示す図である。
【図２】可搬型放射線画像撮影装置の外観斜視図である。
【図３】図２の可搬型放射線画像撮影装置を反対側から見た外観斜視図である。
【図４】図２におけるＡ−Ａ線に沿う断面図である。
【図５】可搬型放射線画像撮影装置の基板の構成を示す平面図である。
【図６】図５の基板上の小領域に形成された放射線検出素子とＴＦＴ等の構成を示す拡大図である。
【図７】フレキシブル回路基板やＰＣＢ基板等が取り付けられた基板を説明する側面図である。
【図８】可搬型放射線画像撮影装置の等価回路を表すブロック図である。
【図９】（Ａ）間引きデータを作成するために抽出される各画像データの例を示す図であり、（Ｂ）抽出した間引きデータを集めた状態を表す図である。
【図１０】カセッテ保持部の内部にコネクタが設けられたブッキー装置を説明する図である。
【図１１】可搬型放射線画像撮影装置のコネクタとブッキー装置のコネクタとが接続された状態を表す外観斜視図である。
【図１２】可搬型放射線画像撮影装置がクレードルに挿入され、コネクタ同士が接続された状態を表す断面図である。
【図１３】検知手段としてタグリーダを備える構成を示す図である。
【図１４】撮影オーダ情報の一例を示す図である。
【図１５】撮影オーダ情報を表示する選択画面の一例を示す図である。
【図１６】各撮影オーダ情報に対応する各アイコン等を表示する画面の一例を示す図である。
【図１７】可搬型放射線画像撮影装置やＣＲカセッテを選択させる選択画面の一例を示す図である。
【図１８】撮影室内に可搬型放射線画像撮影装置が１つだけ存在する場合にコンソールの表示部に表示される選択画面の一例を示す図である。
【図１９】図１８の選択画面ではアイコンＩ２がフォーカスされることを説明する図である。
【図２０】図１９の場合にアイコンＩ２に代えてプレビュー画像が表示されること等を説明する図である。
【図２１】図２０の場合にプレビュー画像が表示されていた位置に生成された放射線画像が表示されること等を説明する図である。
【図２２】図２０に示した状態から続いてアイコンＩ３が選択されてフォーカスされることを説明する図である。
【図２３】表示手段上にプレビュー画像のみを大きく表示させるように構成した場合の表示手段上の表示例を示す図である。
【発明を実施するための形態】
【００２２】
以下、本発明に係る放射線画像撮影システムの実施の形態について、図面を参照して説明する。ただし、本発明は以下の図示例のものに限定されるものではない。
【００２３】
［各実施形態に共通の構成］
図１は、以下で説明する本発明の各実施形態に共通の放射線画像撮影システムの全体構成を示す図である。
【００２４】
撮影室Ｒａは、患者の身体の一部である被写体（すなわち患者の撮影部位）に放射線を照射して放射線画像撮影を行う部屋であり、被写体に放射線を照射するための放射線照射装置の放射線発生装置５７の放射線源５２等が配置されている。なお、撮影室Ｒａは、放射線が撮影室外に漏洩しないように鉛などでシールドされている。
【００２５】
以下の各実施形態では、放射線画像撮影装置として、以下で説明するような可搬型放射線画像撮影装置１が用いられるようになっており、撮影室Ｒａには、可搬型放射線画像撮影装置１を装填可能なブッキー装置５１が設けられている。なお、ブッキー装置５１や放射線源５２等については、後で説明する。
【００２６】
ここで、まず、放射線画像撮影システム５０で放射線画像撮影に用いられる可搬型放射線画像撮影装置１について説明する。
【００２７】
なお、以下、可搬型放射線画像撮影装置を単に放射線画像撮影装置と表す。また、以下では、放射線画像撮影装置１として、シンチレータ等を備え、放射された放射線を可視光等の他の波長の電磁波に変換して電気信号を得るいわゆる間接型の放射線画像撮影装置について説明するが、本発明は、シンチレータ等を介さずに放射線を放射線検出素子で直接検出する、いわゆる直接型の放射線画像撮影装置に対しても適用することができる。
【００２８】
図２は、放射線画像撮影装置の外観斜視図であり、図３は、放射線画像撮影装置を反対側から見た外観斜視図である。また、図４は、図２のＡ−Ａ線に沿う断面図である。放射線画像撮影装置１は、図２〜図４に示すように、筐体状のハウジング２内にシンチレータ３や基板４等で構成されるセンサパネルＳＰが収納されている。
【００２９】
図２や図３に示すように、放射線画像撮影装置１の筐体２のうち、放射線入射面Ｒを有する中空の角筒状のハウジング本体部２Ａは、放射線を透過するカーボン板やプラスチック等の材料で形成されており、ハウジング本体部２Ａの両側の開口部を蓋部材２Ｂ、２Ｃで閉塞することで筐体２が形成されている。なお、筐体２をこのようないわゆるモノコック型として形成する代わりに、例えば、フレーム板とバック板とで形成された、いわゆる弁当箱型とすることも可能である。
【００３０】
図２に示すように、筐体２の一方側の蓋部材２Ｂには、電源スイッチ３７や選択スイッチ３８、コネクタ３９、バッテリ状態や放射線画像撮影装置１の稼働状態等を表示するＬＥＤ等で構成されたインジケータ４０等が配置されている。
【００３１】
また、図３に示すように、筐体２の反対側の蓋部材２Ｃには、画像データＤ等をコンソール５８に無線で転送するための通信手段であるアンテナ装置４１が埋め込まれている。なお、画像データＤ等をコンソール５８に有線方式で転送するように構成することも可能であり、その場合、例えば、前述したコネクタ３９にケーブル等を接続して送受信するように構成される。また、アンテナ装置４１を設ける場合には、アンテナ装置４１の筐体２上の配置場所や配置する個数は適宜決められる。
【００３２】
筐体２の内部には、図４に示すように、センサパネルＳＰの基板４の下方側に図示しない鉛の薄板等を介して基台３１が配置され、基台３１には、電子部品３２等が配設されたＰＣＢ基板３３や緩衝部材３４等が取り付けられている。
【００３３】
なお、基板４やシンチレータ３の放射線入射面Ｒ側には、それらを保護するためのガラス基板３５が配設されている。また、センサパネルＳＰと筐体２の側面との間に、それらがぶつかり合うことを防止するための緩衝材３６が設けられている。
【００３４】
シンチレータ３は、基板４の後述する検出部Ｐに貼り合わされるようになっている。シンチレータ３は、例えば、蛍光体を主成分とし、放射線の入射を受けると３００〜８００ｎｍの波長の電磁波、すなわち可視光を中心とした電磁波に変換して出力するものが用いられる。
【００３５】
基板４は、ガラス基板で構成されており、図５に示すように、基板４のシンチレータ３に対向する側の面４ａ上には、複数の走査線５と複数の信号線６とが互いに交差するように配設されている。基板４の面４ａ上の複数の走査線５と複数の信号線６により区画された各小領域ｒには、放射線検出素子７がそれぞれ設けられている。
【００３６】
このように、走査線５と信号線６で区画された各小領域ｒに二次元状（マトリクス状ともいう。）に配列された複数の放射線検出素子７が設けられた領域ｒ全体、すなわち図５に一点鎖線で示される領域が検出部Ｐとされている。
【００３７】
放射線検出素子７としては、フォトダイオードが用いられているが、この他にも例えばフォトトランジスタ等を用いることも可能である。各放射線検出素子７は、図５の拡大図である図６に示すように、スイッチ手段であるＴＦＴ８のソース電極８ｓに接続されている。また、ＴＦＴ８のドレイン電極８ｄは信号線６に接続されている。
【００３８】
そして、ＴＦＴ８は、後述する走査駆動手段１５から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を保持するようになっている。
【００３９】
図６に示すように、列状に配置された複数の放射線検出素子７にそれぞれバイアス線９が接続されており、図５に示すように、各バイアス線９は、基板４の検出部Ｐの外側の位置で１本の結線１０に結束されている。
【００４０】
また、各走査線５や各信号線６、バイアス線９の結線１０は、それぞれ基板４の端縁部付近に設けられた入出力端子（パッドともいう）１１に接続されている。各入出力端子１１には、図７に示すように、ＩＣ１２ａ等のチップがフィルム上に組み込まれたフレキシブル回路基板（Chip On Filmともいう。）１２が異方性導電接着フィルム（Anisotropic Conductive Film）や異方性導電ペースト（Anisotropic Conductive Paste）等の異方性導電性接着材料１３を介して接続されている。
【００４１】
また、フレキシブル回路基板１２は、基板４の裏面４ｂ側に引き回され、裏面４ｂ側で前述したＰＣＢ基板３３に接続されるようになっている。このようにして、放射線画像撮影装置１のセンサパネルＳＰの基板４部分が形成されている。なお、図７では、電子部品３２等の図示が省略されている。
【００４２】
ここで、図８を用いて放射線画像撮影装置１の回路構成について説明する。
【００４３】
各放射線検出素子７の一方の電極にはそれぞれバイアス線９が接続されており、各バイアス線９は結線１０に結束されてバイアス電源１４に接続されている。バイアス電源１４は、結線１０および各バイアス線９を介して各放射線検出素子７の電極にそれぞれバイアス電圧（厳密に言えば逆バイアス電圧）を印加するようになっている。
【００４４】
また、各放射線検出素子７の他方の電極はＴＦＴ８のソース電極８ｓ（図８中ではＳと表記されている。）に接続されており、各ＴＦＴ８のゲート電極８ｇ（図８中ではＧと表記されている。）は、走査駆動手段１５のゲートドライバ１５ｂから延びる走査線５の各ラインＬ１〜Ｌｘにそれぞれ接続されている。また、各ＴＦＴ８のドレイン電極８ｄ（図８中ではＤと表記されている。）は各信号線６にそれぞれ接続されている。
【００４５】
走査駆動手段１５は、ゲートドライバ１５ｂにオン電圧やオフ電圧を供給する電源回路１５ａと、走査線５の各ラインＬ１〜Ｌｘに印加する電圧をオン電圧とオフ電圧の間で切り替えるゲートドライバ１５ｂとを備えている。ゲートドライバ１５ｂは、前述したように、走査線５の各ラインＬ１〜Ｌｘを介してＴＦＴ８のゲート電極８ｇに印加する電圧をオン電圧とオフ電圧との間で切り替えて、各ＴＦＴ８のオン状態とオフ状態とを制御するようになっている。
【００４６】
また、各信号線６は、読み出しＩＣ１６内に形成された各読み出し回路１７にそれぞれ接続されている。読み出し回路１７は、増幅回路１８と、相関二重サンプリング（Correlated Double Sampling）回路１９と、アナログマルチプレクサ２１と、Ａ／Ｄ変換器２０とで構成されている。
【００４７】
例えば、放射線画像撮影の際に、被写体を介して放射線画像撮影装置１に放射線が照射されると、シンチレータ３で放射線が他の波長の電磁波に変換され、変換された電磁波がその直下の放射線検出素子７に照射される。そして、照射された放射線の線量（すなわち電磁波の光量）に応じて放射線検出素子７内で電荷が発生する。
【００４８】
各放射線検出素子７からの画像データＤの読み出し処理においては、走査駆動手段１５のゲートドライバ１５ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００４９】
そして、放射線検出素子７から放出された電荷量に応じて増幅回路１８から電圧値が出力され、それを相関二重サンプリング回路１９で相関二重サンプリングしてアナログ値の画像データＤがマルチプレクサ２１に出力される。マルチプレクサ２１から順次出力された画像データＤは、Ａ／Ｄ変換器２０で順次デジタル値の画像データＤに変換され、記憶手段２３に出力されて順次保存されるようになっている。
【００５０】
制御手段２２は、ＣＰＵ（Central Processing Unit）やＲＯＭ（Read Only Memory）、ＲＡＭ（Random Access Memory）、入出力インターフェース等がバスに接続されたコンピュータや、ＦＰＧＡ（Field Programmable Gate Array）等により構成されている。専用の制御回路で構成されていてもよい。
【００５１】
制御手段２２は、放射線画像撮影装置１の走査駆動手段１５や読み出し回路１７等の各機能部の動作等を制御するようになっている。制御手段２２には、ＤＲＡＭ（Dynamic ＲＡＭ）等で構成される記憶手段２３や、放射線画像撮影装置１の各機能部に電力を供給するバッテリ２４が接続されている。また、制御手段２２には、前述したアンテナ装置４１が接続されている。
【００５２】
制御手段２２は、放射線画像撮影が行われると、上記のようにして、各放射線検出素子７から電荷すなわち画像データＤを読み出す読み出し処理を行うようになっている。また、制御手段２２は、各放射線検出素子７から読み出して記憶手段２３に保存した各画像データＤに基づいて、各画像データＤを所定の割合で間引いてプレビュー用の間引きデータＤｔを作成するようになっている。
【００５３】
間引きデータＤｔは、例えば、二次元状に配列された各放射線検出素子７に対応して各画像データＤを配列した場合に３×３画素や４×４画素ごとに１画素分の画像データＤを抽出するようにして作成してもよく、或いは、走査線５の各ラインＬ１、Ｌ４、Ｌ７、…にそれぞれ接続された各放射線検出素子７からの画像データＤのように、走査線５の所定の間隔ごとの各ラインＬｎに接続された各放射線検出素子７からの画像データＤを抽出して作成するように構成することも可能である。
【００５４】
具体的には、例えば、上記のように検出部Ｐ上に二次元状に配列された各放射線検出素子７を（ｍ，ｎ）と表し、各放射線検出素子（ｍ，ｎ）から読み出された各画像データＤをそれぞれＤ（ｍ，ｎ）と表した場合、例えば図９（Ａ）に斜線を付して示すように、所定本数（図９（Ａ）の場合は３本）の走査線５の各ラインＬ１〜Ｌｘごとに１本の割合で走査線５を指定し、図９（Ｂ）に示すように、指定された走査線５の各ラインＬに接続されている各放射線検出素子（ｍ，ｎ）から読み出された各画像データＤ（ｍ，ｎ）を間引きデータＤｔするように構成される。
【００５５】
そして、制御手段２２は、放射線画像撮影が終了して各放射線検出素子７から画像データＤを読み出して記憶手段２３に保存すると、即座に間引きデータＤｔを作成し、間引きデータＤｔに放射線画像撮影装置１の識別情報であるカセッテＩＤを付与して、後述するように、コンソール５８等に送信するようになっている。この間引きデータＤｔの送信は放射線画像撮影ごとに行われる。
【００５６】
なお、図９（Ｂ）は、あくまで作成される間引きデータＤｔの群のイメージを表すための図であり、間引きデータＤｔは、記憶手段２３上で実際に一群のデータとして作成される必要はない。
【００５７】
例えば、走査線５のラインＬ１に接続されている各放射線検出素子７の画像データＤ（１，１）、（１，２）、…を記憶手段２３から読み出して即座に送信し、続いて、走査線５のラインＬ４に接続されている各放射線検出素子７の画像データＤ（４，１）、（４，２）、…を記憶手段２３から読み出して即座に送信する。そして、この処理を、例えば走査線５のラインＬ７、Ｌ１０、…についても順次行うように構成される。
【００５８】
すなわち、記憶手段２３に記憶されている全画像データＤの中から、所定の割合で間引いて画像データＤを読み出し、読み出すと同時に送信することで、放射線画像撮影装置１からコンソール５８等に間引きデータＤｔを送信するように構成することが可能である。
【００５９】
制御手段２２は、間引きデータＤｔをコンソール５８に送信した後、当該間引きデータＤｔの作成の基となった画像データＤ、すなわち当該撮影で得られた全画像データＤを、カセッテＩＤを付与してコンソール５８に自動的に送信するようになっている。その際、間引きデータＤｔを含む全ての画像データＤを改めて送信するように構成してもよく、或いは、画像データＤのうち、間引きデータＤｔを除外した残りの画像データＤを送信するように構成してもよい。
【００６０】
上記のように、間引きデータＤｔの送信は、コンソール５８等の指示を待たずに自動的に送信されるが、この全画像データＤの送信については、コンソール５８等からの送信指示があった時点で送信するように構成することも可能である。
【００６１】
なお、前述した間引きデータＤｔの送信の際に、放射線画像撮影装置１からコンソール５８に間引きデータＤｔを送信するように構成されている場合、放射線画像撮影装置１からコンソール５８に画像データＤを送信する際には、全画像データＤのうち、既に送信済みの間引きデータＤｔ以外の画像データＤのみを送信するように構成することも可能である。
【００６２】
この場合、コンソール５８は、既に受信している間引きデータＤｔと、新たに送信されてきた画像データＤとを合成して全画像データＤを復元するように構成される。なお、放射線画像撮影装置１からコンソール５８以外の装置に間引きデータＤｔを直接送信するように構成されている場合には、コンソール５８には間引きデータＤｔが送信されていないため、放射線画像撮影装置１からコンソール５８に全ての画像データＤが送信される。
【００６３】
また、後述するように、放射線画像撮影装置１がブッキー装置５１に装填されておらず単独で用いられている場合（すなわちコネクタ３９（図２参照）に何も接続されていない場合）は、制御手段２２は、アンテナ装置４１を介して無線方式で間引きデータＤｔや画像データＤ、後述するオフセット補正値Ｏ等をコンソール５８に送信する。
【００６４】
さらに、放射線画像撮影装置１がブッキー装置５１に装填されて用いられている場合（すなわちコネクタ３９にブッキー装置５１のコネクタ５１ｂ（後述する図１０、図１１参照）が接続されている場合）は、制御手段２２は、ブッキー装置５１を介して有線方式で間引きデータＤｔ等をコンソール５８に送信するようになっている。
【００６５】
制御手段２２は、１回の放射線画像撮影が終了するごとに、或いは、一連の放射線画像撮影が終了した時点で、これらの放射線画像撮影で得られた画像データＤに重畳されているオフセット分を補正するためのオフセット補正値Ｏを得るために、いわゆるダーク読取処理を自動的に行うようになっている。なお、単独或いは一連の放射線画像撮影が開始される前に、ダーク読取処理を行うように構成することも可能である。
【００６６】
ダーク読取処理では、放射線画像撮影装置１の各ＴＦＴ８をオフ状態とし、放射線画像撮影装置１に放射線が照射されない状態で所定時間放置した後、上記の読み出し処理と同様にして、各放射線検出素子７から、それらに蓄積された暗電荷等をいわゆるダーク読取値ｄとして読み出す。読み出されたダーク読取値ｄは、記憶手段２３に保存される。
【００６７】
そして、制御手段２２は、読み出した各放射線検出素子７ごとのダーク読取値ｄをオフセット補正値Ｏとしたり、或いは、ダーク読取処理を複数回行って、各放射線検出素子７ごとに得られた複数のダーク読取値ｄを平均化する等して、オフセット補正値Ｏを算出する。そして、オフセット補正値Ｏに放射線画像撮影装置１の識別情報であるカセッテＩＤを付与して、コンソール５８に自動的に送信するようになっている。
【００６８】
一方、後述するように、放射線画像撮影装置１が撮影室Ｒａに持ち込まれると、検知手段である後述するクレードル５５に挿入されるようになっている。その際、制御手段２２は、放射線画像撮影装置１がクレードル５５に挿入された際に、コネクタ３９（図２参照）がクレードル５５のコネクタ５５ａ（後述する図１２参照）に接続されると、クレードル５５を介して後述する中継器５４（図１参照）に放射線画像撮影装置１の識別情報であるカセッテＩＤを通知するようになっている。
【００６９】
また、制御手段２２は、放射線技師等の撮影者により選択手段である選択スイッチ３８（図２参照）が押下されると、自らの識別情報であるカセッテＩＤと、自らが選択されたことを示す選択信号とを、アンテナ装置４１を介してコンソール５８に送信するようになっている。
【００７０】
放射線画像撮影装置１は、後述するように、ＣＲカセッテと互換サイズを有しており、施設に既存の後述するブッキー装置５１に装填して使用することができるようになっている。
【００７１】
また、放射線画像撮影装置１は、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。なお、ブッキー装填時は、画像データＤの送信や制御用通信等はブッキー装置５１を介して有線方式で行われる。
【００７２】
なお、放射線画像撮影装置１は、後述するように、ブッキー装置５１に装填されている場合には、ブッキー装置５１から電力の供給を受けるが、ブッキー装置５１に装填されていない単独の状態では、バッテリ２４（図８参照）から制御手段２２やバイアス電源１４、走査駆動手段１５、読み出し回路１７（読み出しＩＣ１６）等の各機能部に電力を供給するようになっている。
【００７３】
そして、放射線画像撮影や画像データＤの読み出し処理等を行わない場合に、各機能部に電力を供給すると、バッテリ２４が消耗してしまうため、放射線画像撮影装置１は、各機能部に電力を供給して放射線画像撮影を行うことができる状態、すなわち撮影可能な状態とする撮影可能モードと、放射線画像撮影を行わないような場合に各機能部に電力を供給しないスリープモードとの間で、モードを切り替えることができるようになっている。
【００７４】
スリープモードでは、コンソール５８等からの信号を受信できるようにアンテナ装置４１や制御手段２２等の最小限起動していることが必要な機能部にのみ電力を供給し、バイアス電源１４や走査駆動手段１５、読み出し回路１７（読み出しＩＣ１６）等には電力を供給しないようになっている。
【００７５】
電源スイッチ３７（図２参照）が押下された場合に、放射線画像撮影装置１を撮影可能モードで立ち上げるかスリープモードで立ち上げるかは適宜設定されるとしても、少なくとも、選択スイッチ３８が押下された場合に、放射線画像撮影装置１がスリープモードになっている場合には、放射線画像撮影装置１のモードは撮影可能モードに切り替えられる。
【００７６】
また、放射線画像撮影装置１は、撮影可能モードに切り替えられた後、所定時間が経過しても放射線画像撮影が行われない場合は、所定時間が経過した時点で、モードを自動的にスリープモードに切り替えるようになっている。
【００７７】
そして、放射線画像撮影装置１は、モードが切り替わる際に、コンソール３８に、撮影可能モードになったことを表す信号、或いはスリープモードになったことを表す信号を、それぞれ自らのカセッテＩＤとともに送信するようになっている。
【００７８】
次に、放射線画像撮影システム５０における他の各装置等について説明する。
【００７９】
図１に示すように、ブッキー装置５１は、カセッテ保持部（カセッテホルダともいう。）５１ａに放射線画像撮影装置１を装填して用いることができるようになっている。なお、図１では、撮影室Ｒａに、ブッキー装置５１として立位撮影用のブッキー装置５１Ａと臥位撮影用のブッキー装置５１Ｂが設置されている場合が示されているが、例えば、複数の立位撮影用のブッキー装置５１Ａのみ、或いは複数の臥位撮影用のブッキー装置５１Ｂのみが設けられているような場合にも本発明は適用される。
【００８０】
各ブッキー装置５１は、カセッテ保持部５１ａに従来のＣＲカセッテを装填して用いることもできるように構成されており、撮影室ＲａにＣＲカセッテ用に設置されている既存のブッキー装置を用いることが可能である。
【００８１】
そのため、上記の放射線画像撮影装置１は、ＣＲカセッテと同様の寸法になるように形成されている。すなわち、ＣＲカセッテは、従来のスクリーンフィルム用のカセッテにおけるＪＩＳ規格サイズ（対応する国際規格はＩＥＣ  ６０４０６）に準拠して、１４インチ×１７インチ（半切サイズ）等の寸法で形成される。また、放射線入射方向の厚さは１５ｍｍ＋１ｍｍ〜１５ｍｍ−２ｍｍの範囲内になるように形成される。
【００８２】
そのため、このＪＩＳ規格サイズのＣＲカセッテを装填することができるブッキー装置５１への装填使用を可能とするため、放射線画像撮影装置１も、ＣＲカセッテが準拠するスクリーンフィルム用のカセッテにおけるＪＩＳ規格に準拠した寸法で形成されている。
【００８３】
なお、スクリーン／フィルムカセッテやＣＲカセッテ用の既存のブッキー装置を用いない場合には、放射線画像撮影装置１を上記の寸法で形成する必要はなく、放射線画像撮影装置１を任意の大きさや形状に形成することが可能である。しかし、その際には、ブッキー装置５１として、任意に設定された形状の放射線画像撮影装置１を装填することができるブッキー装置を新たに撮影室Ｒａ内に設置することが必要となる。
【００８４】
ブッキー装置５１のカセッテ保持部５１ａの内部には、図１０に示すように、装填された放射線画像撮影装置１のコネクタ３９（図２参照）と接続されるコネクタ５１ｂが設けられている。図１０に示した立位撮影用のブッキー装置５１Ａの場合だけでなく、臥位撮影用のブッキー装置５１Ｂにおいても同様に構成されている。
【００８５】
なお、上記のように、ブッキー装置５１のカセッテ保持部５１ａの内部にコネクタ５１ｂを設ける代わりに、図１１に示すように、放射線画像撮影装置１をブッキー装置５１に装填する前に、ブッキー装置５１から延びるケーブルの先端に設けられたコネクタ５１ｂを放射線画像撮影装置１のコネクタ３９に接続し、その状態で放射線画像撮影装置１をブッキー装置５１のカセッテ保持部５１ａに装填するように構成することも可能である。
【００８６】
ブッキー装置５１は、コネクタ５１ｂと放射線画像撮影装置１のコネクタ３９とが接続されると、放射線画像撮影装置１からその識別情報であるカセッテＩＤを読み出し、放射線画像撮影装置１のカセッテＩＤと自らの識別情報であるブッキーＩＤとを対応付けて、コンソール５８に送信するようになっている。
【００８７】
前述したように、ブッキー装置５１は、放射線画像撮影装置１がカセッテ保持部５１ａに装填されて用いられている場合には、放射線画像撮影装置１からコネクタ３９を介して出力される間引きデータＤｔや画像データＤ、オフセット補正値Ｏを後述する中継器５４に有線方式で伝送してコンソール５８に送信するようになっている。
【００８８】
また、ブッキー装置５１のコネクタ５１ｂと放射線画像撮影装置１のコネクタ３９とが接続されることにより、ブッキー装置５１から放射線画像撮影装置１に電力を供給するようになっている。そのため、放射線画像撮影装置１の制御手段２２は、コネクタ３９、５１ｂ同士が接続されると、バッテリ２４（図８参照）からの各機能部への電力の供給を停止し、コネクタ３９を介してブッキー装置５１から供給される電力を各機能部に供給するように切り替えるようになっている。なお、各機能部に電力供給しながら、同時にバッテリ２４を充電する構成とすることも可能である。
【００８９】
一方、図１に示すように、各ブッキー装置５１には、ＣＲＴ（Cathode Ray Tube）やＬＣＤ（Liquid Crystal Display）等からなる表示手段５１ｃがそれぞれ設けられており、表示手段５１ｃには、後述するように、コンソール５８や放射線画像撮影装置１から送信されてきた間引きデータＤｔに基づいてプレビュー画像が表示されるようになっている。
【００９０】
なお、各表示手段５１ｃは、各ブッキー装置５１に対応するように、すなわち例えば各ブッキー装置５１のそれぞれ近傍の位置等に設けられていればよく、必ずしも各ブッキー装置５１に直接接続して設ける必要はない。この場合には、各表示手段５１ｃを、例えば後述する中継器５４（図１参照）とケーブル等で接続するように構成し、中継器５４を介してコンソール５８や放射線画像撮影装置１から表示手段５１ｃに間引きデータＤｔを送信するように構成することが可能である。
【００９１】
図１に示すように、撮影室Ｒａには、被写体に放射線を照射する放射線源５２が少なくとも１つ設けられている。そして、放射線源５２のうち、１つの放射線源５２Ａは、例えば撮影室Ｒａの天井からつり下げられて配置されるようになっており、撮影時にはコンソール５８からの指示に基づいて起動され、図示しない移動手段により所定の位置にまで移動されるようになっている。そして、放射線の照射方向を変えることで、立位撮影用のブッキー装置５１Ａや臥位撮影用のブッキー装置５１Ｂに装填された放射線画像撮影装置１に対して放射線を照射することができるようになっている。
【００９２】
また、撮影室Ｒａには、立位撮影用や臥位撮影用のブッキー装置５１Ａ、５１Ｂには対応付けられていないポータブルの放射線源５２Ｂも設けられている。ポータブルの放射線源５２Ｂは、撮影室Ｒａ内のいかなる場所にも持ち運びでき、任意の方向に放射線を照射できるようになっている。
【００９３】
そして、放射線画像撮影装置１を単独の状態（すなわちブッキー装置５１に装填しない状態）で被写体である患者の身体の部分にあてがったり、臥位撮影用のブッキー装置５１Ｂのテーブルや図示しないベッドと患者の身体との間に差し込んだりした状態で、ポータブルの放射線源５２Ｂから適切な距離や方向で放射線を照射することができるようになっている。
【００９４】
なお、放射線画像撮影装置１は、このように、ブッキー装置５１に装填されない単独の状態で放射線画像撮影に用いることができるようになっている。
【００９５】
放射線源５２は、Ｘ線管球を備えており、Ｘ線管球は、後述する放射線発生装置５７から所定の管電圧や管電流が供給されると、指定された照射時間だけ管電圧等に応じた線量の放射線を照射するようになっている。
【００９６】
前述したように、撮影室Ｒａは鉛などでシールドされているため、撮影室Ｒａ内で放射線画像撮影装置１からアンテナ装置４１を介して画像データＤ等の情報を送受信しようとしても、そのままでは送受信できない。そこで、図１に示すように、放射線画像撮影装置１とコンソール５８とが無線通信する際に、これらの通信を中継する無線アンテナ５３を備えた中継器（基地局や無線アクセスポイントともいう。）５４が設けられている。
【００９７】
なお、前述したように、ブッキー装置５１と中継器５４とはケーブル等で接続されており、放射線画像撮影装置１をブッキー装置５１に装填して用いる場合には、放射線画像撮影装置１から出力された間引きデータＤｔ等は、ブッキー装置５１や中継器５４等を介して有線方式でコンソール５８に送信される。
【００９８】
中継器５４には、クレードル５５が接続されている。図１２に示すように、撮影室Ｒａに持ち込まれた放射線画像撮影装置１が挿入されて、放射線画像撮影装置１のコネクタ３９とクレードル５５のコネクタ５５ａとが接続されると、前述したように放射線画像撮影装置１からカセッテＩＤが、クレードル５５を介して中継器５４に通知されるようになっている。そして、中継器５４は、クレードル５５から放射線画像撮影装置１のカセッテＩＤが送信されてくると、そのカセッテＩＤをコンソール５８に通知するようになっている。
【００９９】
なお、クレードル５５は、通常、放射線画像撮影装置１等を保管したり充電するために用いられるものであり、以下の各実施形態においても、クレードル５５が充電等の機能を有するように構成することも可能である。さらに、図１２では、放射線画像撮影装置１を挿入する挿入口が２個設けられたクレードル５５が示されているが、挿入口は１個でもよく、或いは３個以上設けられていてもよい。
【０１００】
また、クレードル５５は撮影室Ｒａと前室Ｒｂのいずれに設置されてもよく、撮影室Ｒａに設置される場合には、放射線源５２から照射される放射線が到達しない位置、すなわち、例えば撮影室Ｒａのコーナーの位置等に設置される。
【０１０１】
一方、撮影室Ｒａや前室Ｒｂに持ち込まれた放射線画像撮影装置１を検知してコンソール５８にカセッテＩＤを通知する検知手段としては、上記のようにクレードル５５を用いる代わりに、或いはグレードル５５と併用して、図１３に示すように、例えば前室Ｒｂの扉付近にタグリーダ６２を設けるように構成することも可能である。なお、図１３では、ＨＩＳ６０やＲＩＳ６１（図１参照）の図示が省略されている。
【０１０２】
このように構成する場合、予め、放射線画像撮影装置１内に、いわゆるＲＦＩＤ（Radio Frequency IDentification）タグ等の図示しないタグを内蔵させておき、タグに放射線画像撮影装置１のカセッテＩＤ等の固有情報を記憶させておく。そして、放射線画像撮影装置１がタグリーダ６２の近傍を通過して撮影室Ｒａや前室Ｒｂに持ち込まれる際に、タグリーダ６２で放射線画像撮影装置１のタグからカセッテＩＤ等の情報を読み取り、そのカセッテＩＤをコンソール５８に通知するように構成することが可能である。
【０１０３】
このように、検知手段としてタグリーダ６２を用いるように構成すれば、放射線画像撮影装置１の撮影室Ｒａ内への持ち込みおよび当該撮影室Ｒａからの持ち出しの両方を検知することが可能となり、好ましい。なお、この場合は、タグリーダ６２とクレードル５５とで少なくとも放射線画像撮影装置１の撮影室Ｒａ内への持ち込みをダブルチェックするように構成することも可能である。また、検知手段としてタグリーダ６２のみを用いる場合には、クレードル５５は例えば単に放射線画像撮影装置１の充電用等として用いられる。
【０１０４】
図１に示すように、前室Ｒｂには、放射線源５２に対して放射線の照射開始等を指示するための曝射スイッチ５６等を備えた放射線発生装置５７が設けられている。
【０１０５】
また、各実施形態では、コンソール５８は前室Ｒｂに設けられており、図示しないＣＰＵやＲＯＭ、ＲＡＭ、入出力インターフェース等がバスに接続されたコンピュータ等で構成されている。ＲＯＭには所定のプログラムが格納されており、コンソール５８は、必要なプログラムを読み出してＲＡＭの作業領域に展開してプログラムに従って各種処理を実行するようになっている。
【０１０６】
なお、コンソール５８は、撮影室Ｒａ外に設けられていればよく、前室Ｒｂ内に設ける代わりに、撮影室Ｒａや前室Ｒｂの外に設けることも可能である。
【０１０７】
コンソール５８には、ＣＲＴやＬＣＤ等からなる表示部５８ａが設けられており、その他、キーボードやマウス等の図示しない入力手段等が接続されている。また、コンソール５８には、ハードディスク等で構成された記憶手段５９が接続されており、また、ＬＡＮ（Local Area Network）等のネットワークＮ等を介してＨＩＳ（Hospital Information System）６０やＲＩＳ（Radiology Information System）６１が接続されている。
【０１０８】
また、図示を省略するが、コンソール５８には、他のコンピュータや、コンソール５８から出力されたデータに基づいて放射線画像をフィルムなどの画像記録媒体に記録して出力するイメージャ等の外部機器が、ＬＡＮ等を介して接続されている。
【０１０９】
コンソール５８は、前述したように、撮影室Ｒａに持ち込まれた放射線画像撮影装置１が挿入されて、放射線画像撮影装置１のカセッテＩＤ等がクレードル５５や中継器５４を介して送信されてくると、そのカセッテＩＤを記憶手段５９に保存して、そのカセッテＩＤを有する放射線画像撮影装置１が撮影室Ｒａ或いは前室Ｒｂ内に持ち込まれたことを認識して管理するようになっている。
【０１１０】
また、コンソール５８は、前述したように、放射線画像撮影装置１から撮影可能モードになったことを表す信号がカセッテＩＤとともに送信されてくると、記憶手段５９に保存されている当該カセッテＩＤに対応付けられて保存されているモードを表す情報が撮影可能モードを表す情報である場合はそのままとし、保存されているモードを表す情報がスリープモードを表す情報である場合は、カセッテＩＤに、撮影可能モードを表す情報を新たに対応付けて上書き保存する。
【０１１１】
また、放射線画像撮影装置１からスリープモードになったことを表す信号がカセッテＩＤとともに送信されてきた場合には、記憶手段５９に保存されている当該カセッテＩＤに対応付けられて保存されているモードを表す情報がスリープモードを表す情報である場合はそのままとし、保存されているモードを表す情報が撮影可能モードを表す情報である場合は、カセッテＩＤに、スリープモードを表す情報を新たに対応付けて上書き保存する。
【０１１２】
コンソール５８は、このようにして、放射線画像撮影装置１が、現在、撮影可能モードとスリープモードとのいずれのモードにあるかを認識して管理するようになっている。
【０１１３】
また、コンソール５８は、前述したように、放射線画像撮影装置１がコネクタ５１ｂと接続されたブッキー装置５１から、放射線画像撮影装置１のカセッテＩＤとブッキーＩＤとが送信されてくると、記憶手段５９に保存されている当該カセッテＩＤに、ブッキーＩＤを対応付けて保存するようになっている。
【０１１４】
また、放射線画像撮影装置１とコネクタ５１ｂとの接続が解除された場合には、記憶手段５９に保存されている当該放射線画像撮影装置１のカセッテＩＤとブッキーＩＤとの対応付けを解除して、カセッテＩＤのみを保存するようになっている。
【０１１５】
このようにして、コンソール５８は、放射線画像撮影装置１が、ブッキー装置５１に装填されて用いられる場合には、どの放射線画像撮影装置１がどのブッキー装置５１に装填されているか、或いは装填されていないかを認識して管理するようになっている。
【０１１６】
一方、図１に示したＨＩＳ６０やＲＩＳ６１では、予め個々の患者に対して所定の放射線画像撮影を行うために必要な情報が設定された撮影オーダ情報を登録することができるようになっている。なお、撮影オーダ情報を、ＨＩＳ６０やＲＩＳ６１に登録する代わりに、予めコンソール５８上で登録して例えば記憶手段５９に保存しておくように構成することも可能である。
【０１１７】
撮影オーダ情報は、例えば図１４に例示するように、患者情報としての「患者ＩＤ」Ｐ２、「患者氏名」Ｐ３、「性別」Ｐ４、「年齢」Ｐ５、「診療科」Ｐ６、および撮影条件としての「撮影部位」Ｐ７、「撮影方向」Ｐ８等で構成されるようになっており、さらに放射線画像撮影装置１をブッキー装置５１に装填した状態で撮影を行うか否かの情報として「ブッキーＩＤ」Ｐ９の項目が設けられており、ブッキー装置５１に装填する場合にはそのブッキーＩＤを記載するようになっている。
【０１１８】
図１４に示した例で、ブッキーＩＤ「００１」、「００２」はそれぞれ立位撮影用のブッキー装置５１Ａおよび臥位撮影用のブッキー装置５１Ｂを表し、ブッキーＩＤ「００３」は、放射線画像撮影装置１をブッキー装置５１に装填せずに単独の状態で用いることを表す。なお、放射線画像撮影装置１をブッキー装置５１に装填せずに単独の状態で用いる場合をブッキーＩＤ「００３」とするのは、放射線画像撮影装置１を単独の状態で用いる場合にブッキーＩＤを空欄とすると、記入忘れとの区別がつかないためである。
【０１１９】
そのため、放射線画像撮影装置１を単独の状態で用いることを表すものであれば、他の表示方法を採用することも可能であり、適宜決められる。なお、ブッキーＩＤに替えて、立位ブッキー、臥位ブッキー、単独使用、を表す３種のアイコンを用意し、一のアイコンを各撮影オーダに対応付けて表示するように構成することも可能である。このように構成すると、放射線技師等が撮影前にどの撮影装置を使用すべきかが視認し易くなり、間違いが生じ難くなる。
【０１２０】
そして、撮影オーダが登録された順に、各撮影オーダ情報に対して「撮影オーダＩＤ」Ｐ１が自動的に割り当てられるようになっている。
【０１２１】
なお、撮影オーダ情報に書き込む患者情報や撮影条件の内容は、上記のものに限定されず、例えば、患者の生年月日、診察回数、放射線の線量、太っているか痩せているか等の情報を含むように構成することも可能である。また、以下では、一の患者に対して複数の撮影オーダ情報が登録されている場合について説明する。
【０１２２】
コンソール５８は、放射線技師等の撮影者の操作により、ＨＩＳ６０やＲＩＳ６１から必要な各撮影オーダ情報を入手するようになっている。なお、撮影オーダ情報を、ＨＩＳ６０やＲＩＳ６１から入手する代わりに、予めコンソール５８上で登録して例えば記憶手段５９に保存しておき、記憶手段５９から必要な各撮影オーダ情報を入手するように構成することも可能である。
【０１２３】
ＲＩＳ６０やＨＩＳ６１或いは記憶手段５９から必要な各撮影オーダ情報を入手する場合、例えば、撮影者がコンソール５８にこれから撮影を行う患者の氏名や患者ＩＤ等を入力したり、患者が持参した撮影依頼書に記載されているバーコードをバーコードリーダで読み取ってコンソール５８に入力したり、或いは、撮影オーダ情報で撮影日が指定されている場合にはコンソール５８に撮影日を入力する等して、適宜の方法で必要な撮影オーダ情報をＨＩＳ６０やＲＩＳ６１或いは記憶手段５９から入手するように構成することが可能である。
【０１２４】
そして、コンソール５８は、撮影オーダ情報を入手すると、コンソール５８の表示部５８ａに、図１５に示すように、各撮影オーダ情報の一覧を選択画面Ｈ１として表示するようになっている。
【０１２５】
選択画面Ｈ１には、各撮影オーダ情報の一覧を表示するための撮影オーダ情報表示欄ｈ１１が設けられており、撮影オーダ情報表示欄ｈ１１の左側には、撮影する予定の撮影オーダ情報を選択するための選択ボタンｈ１２が各撮影オーダ情報に対応して設けられている。また、撮影オーダ情報表示欄ｈ１１の下側には、決定ボタンｈ１３及び戻るボタンｈ１４が設けられている。
【０１２６】
［コンソールの表示部におけるアイコンの表示例］
そして、例えば、撮影者が選択ボタンｈ１２をクリックして、例えば患者「Ａ」に関する４つの撮影オーダ情報を選択して、決定ボタンｈ１３をクリックすると、コンソール５８は、表示部５８ａ上に、図１６に示すような画面Ｈ２を表示するようになっている。すなわち、コンソール５８は、表示部５８ａ上に、選択された各撮影オーダ情報に対応するアイコンＩ１〜Ｉ４を、例えば撮影オーダＩＤ（図１５等のＰ１参照）が小さい順に、すなわち登録順に表示するようになっている。
【０１２７】
なお、登録順を基本とするが、例えば手脚等に対し左右両方の部位の撮影オーダがある場合、左右の取り違え防止のため、左から先に撮影、或いは右から先に撮影、という条件に基づいて並べ替えるようにしてもよい。
【０１２８】
また、図１６では、各アイコンＩ１〜Ｉ４を、画面Ｈ２上で左右方向に左側から並べて表示する場合が示されているが、これに限定されず、例えば、各アイコンＩ１〜Ｉ４を上下方向に上側から並べるように構成することも可能であり、各アイコンＩ１〜Ｉ４の表示の仕方は適宜設定される。
【０１２９】
さらに、アイコンＩ１〜Ｉ４は、登録された順番に並べられるが、この他にも、例えば、選択された各撮影オーダ情報の中に、患者ＩＤ（図１５等のＰ３参照）が異なるものや診療科（Ｐ６参照）が異なるものが含まれる場合には、登録順にかかわらず、同じ患者や診療科の撮影オーダ情報に対応するアイコンＩが隣り合うように表示するように構成することも可能である。
【０１３０】
ここで、画面Ｈ２上に表示されるアイコンＩの例について説明する。
【０１３１】
図１６に示すように、アイコンＩ１〜Ｉ４には、それぞれ「ＫＭ−０００１」等の撮影番号や、「腹部正面Ｐ→Ａ」等の撮影部位（Ｐ７）や撮影方向（Ｐ８）、「臥位」等のブッキー装置５１の使用の有無や使用するブッキー装置５１の種類等が表示されるようになっている。
【０１３２】
また、図１６の例では、臥位撮影用のブッキー装置５１を使用する撮影オーダＩＤ「００１」の撮影オーダ情報（図１５等参照）に対応するアイコンＩ１には、アイコンＩ１中の表示部分Ｉａに横長の四角が表示され、立位撮影用のブッキー装置５１を使用する撮影オーダＩＤ「００２」、「００３」の各撮影オーダ情報に対応するアイコンＩ２、Ｉ３には、アイコンＩ１中の表示部分Ｉａに縦長の四角が表示される。
【０１３３】
また、ブッキー装置５１を使用しない撮影オーダＩＤ「００４」の撮影オーダ情報に対応するアイコンＩ４には、アイコンＩ１中の表示部分Ｉａに放射線画像撮影装置１の斜視図状の図形が表示される。
【０１３４】
なお、アイコンＩ中の表示部分Ｉａに、立位撮影用または臥位撮影用のブッキー装置５１を使用すること、或いは放射線画像撮影装置１を単独の状態で使用することを表示する際に、上記のような四角や斜視図状の図形ではなく、放射線技師等がより分かり易い表示とする等の措置が適宜採られることは前述した通りである。
【０１３５】
コンソール５８は、アイコンＩ１〜Ｉ４を表示する際、記憶手段５９に保存されているカセッテＩＤに対応付けられているブッキーＩＤを参照して、図１６に示すように、ブッキー装置５１を使用する撮影オーダ情報のアイコンＩの表示部分Ｉｂに、当該ブッキー装置５１に現在装填されている放射線画像撮影装置１のカセッテＩＤや放射線画像撮影装置１のサイズ、解像度等を表示するようになっている。
【０１３６】
また、例えば各アイコンＩ１〜Ｉ４に設定されているブッキー装置５１とは異なるブッキー装置５１を用いるように変更する場合や、ブッキー装置５１を用いずに放射線画像撮影装置１が単独の状態で撮影したい場合（或いはその逆の場合）には、例えば、画面Ｈ２上でカーソルを該当するアイコンＩ中の「立位」や「臥位」の表示部分Ｉａに移動させて、マウスを右クリックするとポップアップ表示するように構成し、ウインドウ内に記載されているブッキー装置５１、或いはブッキー装置５１を使用しないという項目を選択して変更するように構成することも可能である。
【０１３７】
さらに、各アイコンＩ１〜Ｉ４に設定されている放射線画像撮影装置１を変更する場合には、例えば、画面Ｈ２上でカーソルを該当するアイコンＩ中の表示部分Ｉｂに移動させて、マウスを右クリックすることで、例えば図１７に示すような選択画面Ｈ３を表示させ、各種の放射線画像撮影装置１を表す各アイコン群の中から変更先の放射線画像撮影装置１を適宜選択して変更するように構成することも可能である。
【０１３８】
また、例えば各アイコンＩ１〜Ｉ４に設定されている放射線画像撮影装置１のいずれかをＣＲカセッテに変更する場合には、例えば、同様に操作して図１７に示したような選択画面Ｈ３を表示させ、例えば「ＣＲ」と表示されたアイコンをクリックして変更するように構成することも可能である。このように構成すれば、放射線技師等の撮影者は、コンソール５８が設けられた前室Ｒｂにおいて、所望の撮影オーダ情報を放射線画像撮影装置方式（ＦＰＤ方式）からＣＲ方式への変更することが可能となる。
【０１３９】
上記のように，使用するブッキー装置５１を変更したり、ブッキー装置５１を使用しないように或いはブッキー装置５１を使用するように変更したり、使用する放射線画像撮影装置１を変更したりすると、変更したアイコンＩ１〜Ｉ４中の表示が変更した内容に切り替わる。なお、図１６で各アイコンＩ１〜Ｉ４の下に表示されている、処理の進行度を表すゲージＧについては、後で説明する。
【０１４０】
［アイコンのフォーカス遷移等の例］
次に、上記のような構成の下での、コンソール５８の表示部５８ａにおける各アイコンＩ１〜Ｉ４の表示のさせ方等の例について説明する。なお、以下では、最も単純なケースとして、仮に撮影室Ｒａ内に放射線画像撮影装置１が１つだけ持ち込まれた場合について説明する。
【０１４１】
また、以下では、この放射線画像撮影装置１が、既に立位撮影用のブッキー装置５１Ａに装填されている場合について説明する。そのため、この場合、コンソール５８の画面Ｈ２には、図１８に示すような各アイコンＩ１〜Ｉ４が表示される。また、この場合、アイコンＩ中の「ＦＰＤ」の表示部分Ｉｂでマウスを右クリックしても、図１７に示した選択画面Ｈ３には、「ＦＰＤ−００１」の放射線画像撮影装置１しか表示されない。
【０１４２】
コンソール５８は、上記のように表示部５８ａ上に表示した各撮影オーダ情報に対応する各アイコンＩ１〜Ｉ４の中から、自動的に１つのアイコンＩを選択して、選択したアイコンＩを他のアイコンＩとは異なる態様で表示するようになっている。なお、以下では、あるアイコンＩを他のアイコンＩと異なる態様で表示することを、当該アイコンＩをフォーカスすると略して表現する。また、フォーカスされたアイコンＩを図示する場合には、当該アイコンＩに斜線を付して示す。
【０１４３】
アイコンＩのフォーカスの仕方としては、例えば、基本的にはアイコンＩを青や黒等の画面Ｈ２の地の色に近い色で着色して表示し、あるアイコンＩをフォーカスして表示する場合、そのアイコンＩだけを赤色や黄色等に着色して表示するように構成することができる。また、その他、フォーカスするアイコンＩを他のアイコンＩとは異なる形状で表示したり、フォーカスするアイコンＩを点滅させたり、或いは、フォーカスするアイコンＩの画面Ｈ２上での表示位置を変えたり、ズームアップする等して表示するように構成することも可能である。
【０１４４】
そして、コンソール５８がアイコンＩを自動的に選択する場合、この例では、以下の基準に従ってアイコンＩを選択してフォーカスするようになっている。
【０１４５】
［基準１］
各放射線画像撮影装置１のモードやブッキー装置５１に対する装填状態、各放射線源５２の起動および配置状態、放射線源５２Ａ（図１参照）の位置や向き等の、それぞれの現在の状態を変えないで撮影を行うことができ、或いは、変更の程度が最も少ない状態で撮影を行うことができる撮影条件が指定された撮影オーダ情報に対応するアイコンＩを選択してフォーカスする。
【０１４６】
そのため、コンソール５８がフォーカスしたアイコンＩに対応する撮影オーダ情報に基づいて撮影者が撮影を行えば、放射線画像撮影装置１をブッキー装置５１に装填したり、ブッキー装置５１に装填された放射線画像撮影装置１を他のブッキー装置５１に装填し直したりする動作を行うことなく、或いは、最小限の動作を行うだけで撮影を行うことが可能となり、撮影を速やかに行うことが可能となるといった効果がある。
【０１４７】
この基準１の詳細は、放射線画像撮影システム５０の構成や各装置の性能等によって適宜設定される。放射線画像撮影装置１や放射線画像撮影システム５０が上記のように構成されている場合、例えば、以下の［１−１］、［１−２］に示す詳細な基準に従って、該当するアイコンＩが自動選択される。
【０１４８】
［１−１］放射線画像撮影装置１がブッキー装置５１に装填されている場合には、当該ブッキー装置５１に放射線画像撮影装置１を装填した状態で撮影を行うことを指定する撮影オーダ情報に対応するアイコンＩを選択し、フォーカスして表示する。
［１−２］放射線画像撮影装置１がブッキー装置５１に装填されていない場合には、放射線画像撮影装置１をブッキー装置５１に装填しない単独の状態で撮影を行うことを指定する撮影オーダ情報に対応するアイコンＩを選択し、フォーカスして表示する。
【０１４９】
上記の基準［１−１］に従えば、例えば、放射線画像撮影装置１が立位撮影用のブッキー装置５１Ａに装填されている場合に、放射線源５２Ａが立位撮影用のブッキー装置５１Ａの方向を向いている場合は勿論、立位撮影用のブッキー装置５１Ａの方向を向いていない場合であっても、通常、放射線画像撮影装置１を立位撮影用のブッキー装置５１Ａから抜き出して臥位撮影用のブッキー装置５１Ｂに装填し直すよりも、放射線源５２Ａの照射方向を変更する方が、変更の程度が少なく、撮影者の負荷を低減可能である。また、コンソール５８上で撮影開始を入力し、実際に撮影室内に移動するまでの間に放射線源の準備が完了するため、早期に撮影を終えることが可能になる。
【０１５０】
また、上記の基準［１−２］に従えば、放射線画像撮影装置１がブッキー装置５１に装填されていないのであれば、放射線画像撮影装置１をブッキー装置５１に装填するよりも、ブッキー装置５１に装填しない単独の状態で撮影を行う方が、ブッキー装置５１への放射線画像撮影装置１の着脱動作が少なくなる分だけ撮影者の作業量を少なくすることが可能となる。
【０１５１】
また、上記の基準［１−２］の場合であっても、撮影者が放射線画像撮影装置１をブッキー装置５１に装填して行う撮影を先に行うと判断した場合には、撮影者は、下記の基準３に従って、コンソール５８が選択したアイコンＩとは別のアイコンＩを選択してフォーカスすることができる。
【０１５２】
［基準２］
撮影室Ｒａ内に放射線画像撮影装置１が持ち込まれていない場合や、上記の基準に従ってもいずれのアイコンＩをフォーカスするかの判断ができないような場合等（以下、このような状態を略してデフォルトの状態という。）には、コンソール５８は、表示部５８ａ上に例えば登録順等の所定の順番で並べて表示されたアイコンＩ１〜Ｉ４のうち、まだ撮影が行われていないアイコンＩの中で順番が最も先のアイコンＩ（図１６や図１８等の場合は、より左側に表示されているアイコンＩ１）を選択してフォーカスする。
【０１５３】
［基準３］
コンソール５８が自動的にアイコンＩを選択してフォーカスする理由は、上記の効果があるため、そのアイコンＩを選択することを推薦するためであり、撮影者に、選択しフォーカスしたアイコンＩに対応する撮影オーダ情報に基づく撮影を行うことを強制するものではない。
【０１５４】
従って、撮影者は、フォーカスされたアイコンＩに対応する撮影オーダ情報以外の撮影オーダ情報に基づいて撮影を行いたい場合は、撮影を行う撮影オーダ情報に対応する別のアイコンＩをクリックすることで、そのアイコンＩを選択することができる。
【０１５５】
撮影者が、フォーカスされたアイコンＩとは別のアイコンＩをクリックして選択した場合には、撮影者により選択されたアイコンＩがフォーカスされ、コンソール５８が自動的に選択したアイコンＩのフォーカスが解除される。すなわち、コンソール５８が自動的に選択したアイコンＩは、他のアイコンＩと同様に、フォーカスされていない元の態様の表示に戻して表示される。
【０１５６】
コンソール５８は、例えば、放射線画像撮影装置１が立位撮影用のブッキー装置５１Ａに装填されている場合、図１８に示したように、画面Ｈ２に各アイコンＩ１〜Ｉ４を表示したうえで、上記の基準１に従って、アイコンＩ２またはアイコンＩ３を選択する。そして、アイコンＩ２、Ｉ３のみについて見た場合、上記のデフォルトの場合の基準２が適用されるため、アイコンＩ２を選択する。そのため、コンソール５８の表示部５８ａの画面Ｈ２には、図１９に示すように、アイコンＩ２が選択されフォーカスされて表示される。
【０１５７】
そして、コンソール５８は、選択したアイコンＩ（図１９の場合はアイコンＩ２）をフォーカスして表示すると、そのアイコンＩに対応する撮影オーダ情報に基づいて、即座にその撮影に用いられる各装置を所定の状態に起動するようになっている。すなわち、図１９に示した場合には、放射線源５２Ａが起動していなければ起動し、立位撮影用のブッキー装置５１Ａに放射線を照射できる状態になっていなければ、放射線源５２Ａを所定の位置に移動させて照射方向を変えるようになっている。
【０１５８】
なお、コンソール５８は、選択したアイコンＩで指定されている方式がＦＰＤ方式であれば放射線発生装置５７にＦＰＤ方式である旨を送信し、選択したアイコンＩで指定されている方式がＣＲ方式であれば放射線発生装置５７にＣＲ方式である旨を送信する。このようにして、放射線発生装置５７の放射線源５２から照射する放射線の照射線量をＦＰＤ方式やＣＲ方式のそれぞれに対応するように切り替えさせる。
【０１５９】
このように各装置を起動させると、上記のように、撮影者が、ブッキー装置５１に装填されていない放射線画像撮影装置１をブッキー装置５１に装填したり、ブッキー装置５１に装填された放射線画像撮影装置１を他のブッキー装置５１に装填し直したりする動作を行うことなく、或いは、最小限の動作を行うだけで撮影を行うことが可能となるため、撮影者が撮影室Ｒａ内に移動後に撮影を速やかに行うことが可能となる。
【０１６０】
一方、放射線技師等の撮影者が、コンソール５８の表示部５８ａの画面Ｈ２上では上記の操作を行わずに、例えば、新たな放射線画像撮影装置１を撮影室Ｒａに持ち込んでクレードル５５に装填してコンソール５８に新たな放射線画像撮影装置１が持ち込まれたことを通知し、当該放射線画像撮影装置１の選択スイッチ３８を押下したり、当該新たな放射線画像撮影装置１をブッキー装置５１に装填するような場合がある。
【０１６１】
このような場合、それぞれカセッテＩＤ等がコンソール５８に送信されてくるため、コンソール５８は上記の操作が行われたことを認識することができる。そして、そのような操作が行われた場合には、新たに持ち込んだ放射線画像撮影装置１を用いて撮影を行うことが撮影者の意思であると判断することができる。
【０１６２】
そこで、このような場合には、コンソール５８は、カセッテＩＤ等が送信されてきた時点で、それを記憶手段５９に保存して登録するとともに、表示部５８ａの画面Ｈ２上でフォーカスするアイコンＩやアイコンＩの表示を、新たに送信されてきたカセッテＩＤ等の情報に応じ、また、上記の各基準に基づいて切り替えるようになっている。
【０１６３】
なお、以下の各実施形態では、アイコンＩのフォーカス遷移を上記のようにして行う場合を前提として説明するが、例えば、画面Ｈ２上に表示された各アイコンＩ１〜Ｉ４を表示順、すなわち先頭のアイコンＩ１から順にアイコンＩ１、Ｉ２、Ｉ３、Ｉ４の順にフォーカス遷移させるように構成することも可能であり、フォーカス遷移の手法は上記の例に限定されない。
【０１６４】
放射線源５２や放射線画像撮影装置１等が、フォーカスされたアイコンＩ（変更後のフォーカスされたアイコンＩを含む。）に対応する撮影オーダ情報に基づいて起動されている間、放射線技師等の撮影者は、例えば患者を撮影室Ｒａ（図１参照）内に誘導したり、所定の位置で所定の姿勢をとらせたりする。
【０１６５】
そして、撮影者は前室Ｒｂに移動し、撮影を行うことができる状況が整った時点で曝射スイッチ５６を操作することにより、放射線源５２から放射線が照射されて放射線画像撮影が行われる。
【０１６６】
放射線画像撮影が行われると、前述したように、放射線画像撮影装置１の制御手段２２は、各放射線検出素子７から画像データＤを読み出して記憶手段２３に保存する。また、制御手段２２は、各放射線検出素子７から読み出した各画像データＤに基づいて、各画像データＤを所定の割合で間引いて自動的にプレビュー用の間引きデータＤｔを作成して、アンテナ装置４１やブッキー装置５１を介して、カセッテＩＤを付した間引きデータＤｔをコンソール５８に送信する。
【０１６７】
また、制御手段２２は、間引きデータＤｔをコンソール５８に送信した後、当該間引きデータＤｔの作成の基となった画像データＤにカセッテＩＤを付与して、コンソール５８に自動的に送信する。なお、間引きデータＤｔを作成せずに、画像データＤを送信してもよいことや、コンソール５８等からの送信指示があった時点で画像データＤを送信するように構成することも可能であることは前述した通りである。
【０１６８】
さらに、制御手段２２は、所定のタイミングで行ったダーク読取処理で読み出したダーク読取値ｄに基づいてオフセット補正値Ｏを算出し、算出したオフセット補正値ＯにカセッテＩＤを付与して、コンソール５８に自動的に送信する。
【０１６９】
コンソール５８は、放射線画像撮影装置１から間引きデータＤｔ等が送信されてきた段階で、送信されてきた間引きデータＤｔに基づいてプレビュー画像を作成するようになっている。
【０１７０】
そして、コンソール５８は、図２０に示すように、表示部５８ａの画面Ｈ２上の、フォーカスして表示したアイコンＩ２が表示されていた位置に、当該アイコンＩ２に代えて、作成したプレビュー画像ｐ_preを表示するようになっている。放射線技師等の撮影者がこのプレビュー画像ｐ_preを見て、撮影時の患者ポジショニングの良否等を確認して、必要に応じて再撮影の準備にとりかかることが可能となる。
【０１７１】
また、コンソール５８は、プレビュー画像ｐ_preを表示するとともに、プレビュー画像ｐ_pre（元のアイコンＩ２）の下に表示されている、画像データＤ（すなわちrawデータ）に対する諧調処理等の診断提供画像としての一連の画像処理の進行度を表すゲージＧの１段目（図２０では最も左側のゲージ）を着色して表示する。
【０１７２】
そして、コンソール５８は、放射線画像撮影装置１から送信されてくる画像データＤやオフセット補正値Ｏに基づいて、画像データＤに対するオフセット補正やゲイン補正、対数変換補正等の種々の画像処理を行って、最終的な画像処理済診断用の放射線画像ｐを生成する。
【０１７３】
その際、図示を省略するが、画像データＤに対する画像処理の進行度に従って、画像処理の途中の画像を、画面Ｈ２上のプレビュー画像ｐ_preが表示されていた位置に適宜表示するとともに、処理の進行度を表すゲージＧの２段目まで着色して表示して、画像処理中であることを示す。
【０１７４】
そして、ゲージＧの３段目（図２０では最も右側のゲージ）が着色された時点で、図２１に示すように、プレビュー画像ｐ_preは放射線画像ｐで上書き表示される。放射線技師等は、この３段目の着色により放射線画像ｐに上書きされたことを認識し、当該画像ｐに基づきコントラスト適否、言いかえると照射線量の適否、を確認し、必要に応じて再撮影準備を行う。なお、処理の進行度を表すゲージＧを、例えば棒の長さを可変させて示すように構成する等の変形は適宜可能であり、ゲージＧを表示しないように構成することも可能である。
【０１７５】
また、図２０に示すように、画面Ｈ２上にプレビュー画像ｐ_preを表示した段階で、その下側に「ＯＫ」と「ＮＧ」のボタンが表示されるようになっている。そして、撮影者は、撮影が正常で再撮影が不要の場合には「ＯＫ」ボタンを、撮影が不正常で再撮影が必要である場合には「ＮＧ」ボタンをクリックするようになっており、このようにして撮影者の確認をとるようになっている。
【０１７６】
撮影者が、プレビュー画像ｐ_preを見て再撮影は不要であると判断して「ＯＫ」ボタンをクリックして当該撮影を承認する旨を表す信号を入力すると、コンソール５８は、別のアイコンＩをフォーカスして表示するが、この処理については後で説明する。
【０１７７】
また、撮影者が、プレビュー画像ｐ_preや放射線画像ｐを見て再撮影が必要であると判断して「ＮＧ」ボタンをクリックして当該撮影を承認しない旨を表す信号を入力すると、コンソール５８は、プレビュー画像ｐ_preや放射線画像ｐの表示を元のアイコンＩ２の表示に戻すとともに、「ＯＫ」ボタンや「ＮＧ」ボタンの表示も画面Ｈ２から消し、或いは「ＯＫ」ボタンや「ＮＧ」ボタンをクリックできないようにする。また、ゲージＧの表示も元に戻す。
【０１７８】
そして、送信されてきた間引きデータＤｔや画像データＤを破棄するとともに、放射線画像撮影装置１に当該放射線画像撮影で得られて記憶手段２３に保存されている画像データＤ等を破棄するように指令する。当該放射線画像撮影で得られた画像データＤ等は不要であるからである。
【０１７９】
なお、コンソール５８は、撮影者が「ＯＫ」ボタンをクリックした場合には、プレビュー画像ｐ_preや放射線画像ｐの表示を元のアイコンＩ２の表示には戻さずにプレビュー画像ｐ_preや放射線画像ｐを表示した状態のままとし、「ＯＫ」ボタンや「ＮＧ」ボタンの表示も画面Ｈ２から消し、或いは「ＯＫ」ボタンや「ＮＧ」ボタンをクリックできないようにする
【０１８０】
そして、コンソール５８は、撮影者が、例えば、アイコンＩを選択する場合と同じようにプレビュー画像ｐ_preや放射線画像ｐ上にカーソルを移動させてクリックしても、再度アイコンＩ２を選択することができないようにする。
【０１８１】
これは、既に正常に行われた撮影（すなわち再撮影が不要と判断された撮影）を再度選択する必要がないためであり、既に正常に行われた撮影を再度選択することで既に得られている画像データＤ等が破棄される等の不都合が生じないようにするためである。なお、何らかの事情で、当該撮影オーダ情報に基づく放射線画像撮影を再度行う必要が生じ、既に得られている画像データＤ等を破棄する必要が生じた場合に備えて、特殊な操作を行うことで当該撮影オーダ情報に対して既に得られた画像データＤ等を破棄することができるように構成することも可能であり、その場合は、適宜の操作方法が設定される。
【０１８２】
そして、最終的な放射線画像ｐを生成すると、図２１に示すように、生成した放射線画像ｐを、画面Ｈ２上の画像処理中の画像が表示されていた位置（すなわちプレビュー画像ｐ_preが表示されていた位置）に表示するとともに、処理の進行度を表すゲージＧの３段目（図２１では右側のゲージ）まで着色して表示して、放射線画像ｐの生成処理までの各処理が完了したことを示す。
【０１８３】
コンソール５８は、このようにして生成した放射線画像ｐを、元のアイコンＩ２に対応する撮影オーダ情報に対応付けて記憶手段５９に保存するようになっている。また、画像処理する前の画像データＤ（すなわちいわゆるrawデータ）も撮影オーダ情報に対応付けて記憶手段５９に保存するように構成することも可能である。
【０１８４】
また、コンソール５８は、図２０に示したプレビュー画像ｐ_preの下側の「ＯＫ」がクリックされると、図２２に示すように、続いて、再び上記の各基準に従って、次のアイコンＩを選択してフォーカスするようになっている。
【０１８５】
具体的には、コンソール５８は、図２０に示した場合、放射線画像撮影装置１が立位撮影用のブッキー装置５１Ａに装填されているため、上記の基準１に照らして、図２２に示すように、放射線画像撮影装置１のブッキー装置５１に対する装填状態を変える必要がなく、各放射線源５２Ａの起動状態や位置、向き等を現在の状態から変えないで撮影を行うことができる撮影オーダ情報に対応するアイコンＩ３を選択してフォーカスする。
【０１８６】
このように、本実施形態に係る放射線画像撮影システム５０では、デフォルトのアイコンＩ１ではなく、各放射線画像撮影装置１のモードやブッキー装置５１に対する装填状態、各放射線源５２の起動状態、放射線源５２Ａの位置や向き等の、それぞれの現在の状態を変えないで撮影を行うことができる撮影条件が指定された撮影オーダ情報に対応するアイコンＩ２が自動的に選択されてフォーカスされる。
【０１８７】
この場合、アイコンＩ２に対応する撮影オーダ情報に基づく撮影が行われたばかりであり、放射線画像撮影装置１は撮影可能モードであるため、コンソール５８から放射線画像撮影装置１に覚醒信号を送信する必要はない。また、放射線源５２Ａは起動しており、立位撮影用のブッキー装置５１Ａに放射線を照射できる状態になっているが、照射する放射線の線量が変わる場合には、その線量を照射するように管電圧等が変更される。
【０１８８】
そして、放射線画像撮影が行われると、放射線画像撮影装置１から間引きデータＤｔ等がコンソール５８に送信され、コンソール５８は、上記と同様にして、送信されてきた間引きデータＤｔ等に基づくプレビュー画像ｐ_preの作成、表示、放射線画像ｐの生成、表示等を行う。
【０１８９】
コンソール５８は、プレビュー画像ｐ_preを元のアイコンＩ３の位置に表示して、「ＯＫ」ボタンがクリックされると、続いて、再び上記の各基準に従って、次のアイコンＩを選択してフォーカスする。
【０１９０】
この場合、選択可能なアイコンＩは、アイコンＩ１とアイコンＩ４であるが、コンソール５８は、上記の基準１に照らして、アイコンＩ１を選択してフォーカスする。このように選択する理由は、アイコンＩ４に対応する撮影オーダ情報に基づく撮影を行う場合には、放射線源５２Ａの起動を停止し、ポータブルの放射線源５２Ｂを起動させなければならないが、アイコンＩ１に対応する撮影オーダ情報に基づく撮影を行う場合には、起動している放射線源５２Ａの位置や照射方向を変えるだけで済むためである。
【０１９１】
このように、上記の場合に、アイコンＩ３を選択すれば、各放射線画像撮影装置１のブッキー装置５１に対する装填状態や、各放射線源５２の起動状態、放射線源５２Ａの位置や向き等の、それぞれの現在の状態からの変更の程度が最も少ない状態で次の撮影を行うことが可能となる。
【０１９２】
そのため、コンソール５８がフォーカスしたアイコンＩ１に対応する撮影オーダ情報に基づいて撮影を行えば、撮影者は放射線画像撮影装置１を立位撮影用のブッキー装置５１Ａから臥位撮影用のブッキー装置５１Ｂに装填し直すだけでよいため、最小限の動作を行うだけで撮影を行うことが可能となり、撮影を速やかに行うことが可能となる。
【０１９３】
このように、上記のアイコンＩのフォーカス遷移等の手法を用いれば、放射線画像撮影システム５０が、撮影者にとって使い勝手が良いものとなるとともに、放射線画像撮影を効率良く行うことが可能となる。
【０１９４】
なお、以下の各実施形態では、アイコンＩのフォーカス遷移として、例えば、画面Ｈ２上に表示された各アイコンＩ１〜Ｉ４を表示順にフォーカス遷移させるように構成することも可能であり、フォーカス遷移の手法が上記のアイコンＩのフォーカス遷移等の手法に限定されないことは前述した通りである。
【０１９５】
また、図１８〜図２２では、撮影室Ｒａ内に放射線画像撮影装置１が１つだけ持ち込まれた場合について説明したが、以下の各実施形態では、それに限定されず、図１６に示したように、撮影室Ｒａ内に複数の放射線画像撮影装置１が持ち込まれている場合についても適用される。
【０１９６】
［本発明に係る各実施の形態の説明］
次に、上記のような構成の下での本発明に係る各実施形態における処理の仕方についてそれぞれ説明する。
【０１９７】
［第１の実施の形態］
前述したように、コンソール５８は、放射線画像撮影装置１から間引きデータＤｔが送信されてくると、上記のようにして、自らの表示部５８ａに表示したアイコンＩの位置にプレビュー画像ｐ_preを表示するが（図２０等参照）、本実施形態では、コンソール５８は、それとともに、前述した各ブッキー装置５１に対応付けられた各表示手段５１ｃ（図１参照）のうち、間引きデータＤｔを送信してきた放射線画像撮影装置１が装填されているブッキー装置５１に対応付けられた表示手段５１ｃに間引きデータＤｔを送信して、当該表示手段５１ｃに間引きデータＤｔに基づくプレビュー画像ｐ_preを表示させるようになっている。
【０１９８】
例えば、図２０に示した場合には、間引きデータＤｔを送信してきた放射線画像撮影装置１は、立位撮影用のブッキー装置５１Ａに装填されているため、コンソール５８は、放射線画像撮影装置１から間引きデータＤｔが送信されてくると、この立位撮影用のブッキー装置５１Ａに対応付けられた表示手段５１ｃに間引きデータＤｔを送信して、表示手段５１ｃ上にプレビュー画像ｐ_preを表示させる。
【０１９９】
この場合、例えば図２０に示したような、コンソール５８の表示部５８ａ上に表示させる画面Ｈ２と同様の画面を表示手段５１ｃに表示するように構成することが可能である。この場合、表示手段５１ｃ上には図２０に示した画面Ｈ２と同様の画面が表示され、例えばアイコンＩ２の位置にプレビュー画像ｐ_preが表示される。
【０２００】
このように構成すれば、撮影者が、表示手段５１ｃ上で当該撮影に関するプレビュー画像ｐ_preを確認することが可能となるとともに、次の撮影の内容、すなわち放射線画像撮影装置１を装填するブッキー装置５１を変更する必要があるかや、次の撮影が放射線画像撮影装置１を単独の状態で使用するものか、或いは被写体である患者の身体のどの部位をどの方向から撮影するものであるか等を表示手段５１ｃの表示を見て確認することが可能となる。
【０２０１】
また、例えば図２３に示すように、表示手段５１ｃ上に、他のアイコンＩ等を表示せず、プレビュー画像ｐ_preのみを表示させるように構成することも可能である。このように構成すれば、表示手段５１ｃ上にプレビュー画像ｐ_preを比較的大きく表示することが可能となるため、撮影者がプレビュー画像ｐ_preを見易くなり、再撮影の要否の判断を的確に行うことが可能となる。
【０２０２】
なお、図２３に示した場合においても、表示手段５１ｃ上に、当該撮影に関する撮影条件や、次の撮影の内容等を表示するように構成することも可能である。また、図２０や図２３に示したような表示以外の表示の仕方で、プレビュー画像ｐ_preを表示するように構成することも可能であり、表示手段５１ｃ上でのプレビュー画像ｐ_preの表示のさせ方は適宜決められる。
【０２０３】
一方、例えば図２０や図２３に示したように、表示手段５１ｃ上にプレビュー画像ｐ_preを表示する際に、表示手段５１ｃ上に「ＯＫ」や「ＮＧ」のボタンをあわせて表示するように構成することも可能である。
【０２０４】
このように構成すれば、プレビュー画像ｐ_preを見た撮影者がいちいち前室のコンソール５８の所に移動して「ＯＫ」ボタンまたは「ＮＧ」ボタンをクリックする必要がなくなり、撮影室Ｒａ内の表示手段５１ｃ上で「ＯＫ」ボタンをクリックして当該撮影を承認する旨を表す信号を入力したり、「ＮＧ」ボタンをクリックして当該撮影を承認しない旨を表す信号を入力することが可能となる。
【０２０５】
表示手段５１ｃ上で撮影者により「ＯＫ」ボタン或いは「ＮＧ」ボタンがクリックされた場合には、その内容を表す信号、すなわち当該撮影を承認する旨を表す信号或いは当該撮影を承認しない旨を表す信号が中継器５４を介してコンソール５８に送信され、コンソール５８では、前述したコンソール５８の表示部５８ａ上で「ＯＫ」ボタン或いは「ＮＧ」ボタンがクリックされた場合と同じ処理が行われる。
【０２０６】
また、例えば図２０のアイコンＩ４に示したように、可搬型の放射線画像撮影装置１がブッキー装置５１に装填されずに単独の状態で撮影に用いられる場合もある。この場合、間引きデータＤｔは、放射線画像撮影装置１のアンテナ装置４１（図３等参照）から中継器５４の無線アンテナ５３（図１参照）に無線方式で送信され、中継器５４を経由してコンソール５８に送信される。
【０２０７】
しかし、このような場合、放射線画像撮影装置１がブッキー装置５１に装填されていないため、コンソール５８は、送信されてきた間引きデータＤｔをいずれのブッキー装置５１に対応付けられている表示手段５１ｃに送信してよいかが分からなくなる。
【０２０８】
そこで、このように放射線画像撮影装置１がブッキー装置５１に装填されずに単独の状態で用いられて撮影が行われる場合にコンソール５８からいずれの表示手段５１ｃに間引きデータＤｔを送信するかを予め定めておき、コンソール５８から予め定められた特定のブッキー装置５１（例えば臥位撮影用のブッキー装置５１Ｂ）に対応付けられた表示手段５１ｃに間引きデータＤｔを送信するように構成することが可能である。
【０２０９】
このように構成すれば、放射線画像撮影装置１を単独の状態で用いて撮影を行った場合には、予め決まった表示手段５１ｃにプレビュー画像ｐ_preが表示されるため、撮影者は、予め定められた特定の表示手段５１ｃ上に表示されたプレビュー画像ｐ_preを見て、再撮影の要否等を判断することが可能となる。
【０２１０】
なお、放射線画像撮影装置１を単独の状態で用いて撮影を行った場合に間引きデータＤｔを送信する特定の表示手段５１ｃを、コンソール５８上で任意のタイミングで切り替えることができるように構成することも可能である。また、後述する第４の実施形態で説明するように、中継器５４で間引きデータＤｔをいずれの表示手段５１ｃに送信するかを設定することができるように構成されている場合には、中継器５４上で表示手段５１ｃを特定することも可能である。この点については、第４の実施形態で説明する。
【０２１１】
次に、本実施形態に係る放射線画像撮影システム５０の作用について説明する。
【０２１２】
放射線技師等の撮影者は、放射線画像撮影装置１をブッキー装置５１に装填して撮影を行う場合、まず、撮影室Ｒａ（図１参照）で、被写体である患者と、放射線画像撮影装置１が装填されたブッキー装置５１のカセッテ保持部５１ａとの位置関係や、放射線源５２から被写体に照射される放射線の照射方向や照射位置等を調整する。そして、前室Ｒｂに移動し、放射線発生装置５７に備えられた曝射スイッチ５６を操作して、放射線源５２から被写体に対して放射線を照射させる。
【０２１３】
そして、本実施形態では、撮影者は、放射線の照射が終了した後、ただちに撮影室Ｒａに移動することができる。そして、当該撮影に用いられたブッキー装置５１の所に行く。
【０２１４】
放射線画像撮影装置１から中継器５４を介して間引きデータＤｔがコンソール５８に送信され、コンソール５８から、当該ブッキー装置５１に対応付けられた表示手段５１ｃに間引きデータＤｔが送信されて、表示手段５１ｃ上にプレビュー画像ｐ_preが表示されるまでに要する時間は数秒程度であるため、撮影者が前室Ｒｂから撮影室Ｒａに移動してブッキー装置５１の所に行く間には、表示手段５１ｃ上にプレビュー画像ｐ_preが既に表示されている。
【０２１５】
そのため、撮影室Ｒａに移動した撮影者は、ブッキー装置５１の位置に到着すると同時に、当該ブッキー装置５１に対応付けられている表示手段５１ｃ上に表示されているプレビュー画像ｐ_preを見ることができ、再撮影の要否等を速やかに判断することが可能となる。
【０２１６】
また、放射線画像撮影装置１をブッキー装置５１に装填せずに単独の状態で用いて撮影を行う場合には、撮影者は、まず、撮影室Ｒａ（図１参照）で、放射線源５２から被写体に照射される放射線の照射方向や照射位置等を調整し、被写体である患者に対して放射線画像撮影装置１をあてがう位置等を調整する。そして、前室Ｒｂに移動し、放射線発生装置５７に備えられた曝射スイッチ５６を操作して、放射線源５２から被写体に対して放射線を照射させる。
【０２１７】
また、放射線源５２としてポータブルの放射線源５２Ｂ（図１参照）を用いる場合には、撮影者は、上記のようにして位置等を調整したうえで、ポータブルの放射線源５２Ｂを操作して放射線を照射させる。
【０２１８】
この場合は、放射線画像撮影装置１のアンテナ装置４１から無線方式で中継器５４を介して間引きデータＤｔがコンソール５８に送信されるが、やはり放射線画像撮影装置１からコンソール５８に送信された間引きデータＤｔが、コンソール５８から特定のブッキー装置５１に対応付けられた表示手段５１ｃに送信されて、表示手段５１ｃ上にプレビュー画像ｐ_preが表示されるまでに要する時間は数秒程度しかかからない。
【０２１９】
そのため、撮影者は、特定のブッキー装置５１の位置に到着すると同時に、或いは間をおかずに、当該特定のブッキー装置５１に対応付けられている表示手段５１ｃ上に表示されているプレビュー画像ｐ_preを見ることができ、再撮影の要否等を速やかに判断することが可能となる。
【０２２０】
そして、再撮影が不要と判断すれば、撮影者は「ＯＫ」ボタンをクリックしたうえで、速やかに、次の撮影に向けて、患者のポーズを変えさせたり、放射線画像撮影装置１を別のブッキー装置５１に装填し直して当該別のブッキー装置５１の所に患者を導く等の必要な措置をとることが可能となる。
【０２２１】
また、再撮影が必要と判断すれば、撮影者は「ＮＧ」ボタンをクリックして、コンソール５８に送信されてきた間引きデータＤｔや画像データＤを破棄させたうえで、速やかに、放射線源５２を調整し直したり、ブッキー装置５１に対する患者の位置を調整する等の必要な措置をとって再撮影を行うことが可能となる。
【０２２２】
以上のように、本実施形態に係る放射線画像撮影システム５０によれば、従来のシステムのように撮影者が曝射スイッチ５６を操作して放射線を照射させた後も前室Ｒｂに残ってコンソール５８の表示部５８ａ上にプレビュー画像ｐ_preが表示されるまで待機する必要がなく、撮影者は、放射線の照射終了後、ただちに撮影室Ｒａに移動して、撮影室Ｒａ内で表示手段５１ｃ上に表示されたプレビューｐ_preを確認することが可能となる。
【０２２３】
そのため、撮影者が、速やかに次の撮影の準備を開始したり、再撮影に向けて準備する等の必要な行動をとることが可能となり、撮影者が違和感や焦燥感を覚えることがなくなり、放射線画像撮影システム５０を撮影者にとって使い勝手が良いものとすることが可能となる。
【０２２４】
また、このように、撮影者が、速やかに次の撮影の準備を開始したり、再撮影に向けて準備する等の必要な行動をとることが可能となるため、前述したように、例えば、同じ患者に対して複数回の撮影を行って患者の身体の異なる部位を撮影するような場合には、複数の撮影をスムーズに行うことが可能となり、この点でも、撮影者にとって放射線画像撮影システム５０が使い勝手の良いものとなる。
【０２２５】
［第２の実施の形態］
上記の第１の実施形態では、前述したように、放射線画像撮影装置１側で、制御手段２２が、読み出した画像データＤから所定の割合でデータを間引いた間引きデータＤｔ（図９参照）を作成して、コンソール５８に送信するように構成されている場合について説明した。
【０２２６】
しかし、後述する第３の実施形態においても同様であるが、放射線画像撮影装置１からは、読み出された全画像データＤをコンソール５８に送信し、コンソール５８で画像データＤから所定の割合でデータを間引いて間引きデータＤｔを作成するように構成されている放射線画像撮影システムもある。そして、このような場合にも本発明を適用することが可能である。
【０２２７】
すなわち、この場合、コンソール５８は、放射線画像撮影装置１から画像データＤが送信されてくると、画像データＤから所定の割合でデータを間引いた間引きデータＤｔを作成し、放射線画像撮影装置１が装填されているブッキー装置５１に対応付けられた表示手段５１ｃに作成した間引きデータＤｔを送信して、当該表示手段５１ｃに間引きデータＤｔに基づくプレビュー画像ｐ_preを表示させるように構成される。
【０２２８】
このように構成すれば、本実施形態の場合でも、やはり従来のシステムのように撮影者が曝射スイッチ５６を操作して放射線を照射させた後も前室Ｒｂに残ってコンソール５８の表示部５８ａ上にプレビュー画像ｐ_preが表示されるまで待機する必要がなく、撮影者は、放射線の照射終了後、ただちに撮影室Ｒａに移動して表示手段５１ｃ上に表示されたプレビューｐ_preを確認することが可能となる。
【０２２９】
そして、撮影室Ｒａに移動した撮影者が、当該撮影に用いられたブッキー装置５１の所に到着した時点で、或いはその後間もなく、表示手段５１ｃ上にプレビュー画像ｐ_preが表示される。
【０２３０】
そのため、撮影者が、速やかに次の撮影の準備を開始したり、再撮影に向けて準備する等の必要な行動をとることが可能となり、撮影者が違和感や焦燥感を覚えることがなくなり、放射線画像撮影システム５０を撮影者にとって使い勝手が良いものとすることが可能となる等の第１の実施形態の場合と同様の有益な効果を奏することが可能となる。
【０２３１】
［第３の実施の形態］
また、放射線技師等の撮影者によっては、撮影が終わると続けてすぐに次の撮影の準備にとりかかりたいと考える撮影者もいる。そして、そのような撮影者にとっては、プレビュー画像ｐ_preを、今回の撮影に用いられたブッキー装置５１に対応付けられた表示手段５１ｃではなく、次の撮影に用いられるブッキー装置５１に対応付けられた表示手段５１ｃの方に表示した方が使い勝手が良いと感じられる場合もある。
【０２３２】
そこで、本実施形態では、このような撮影者にとっても使い勝手が良いように構成された放射線画像撮影システム５０について説明する。
【０２３３】
すなわち、本実施形態では、コンソール５８は、第１の実施形態で説明したように、画面Ｈ２（図２２等参照）上での前述した各基準に従ったアイコンＩのフォーカス遷移を行うようになっている。すなわち、コンソール５８は、各ブッキー装置５１を用いて行われる撮影の順番を把握するように構成されている。
【０２３４】
また、上記のアイコンＩのフォーカス遷移を行わない場合でも、例えば、画面Ｈ２上に表示された各アイコンＩ１〜Ｉ４を表示順、すなわち先頭のアイコンＩ１から順にアイコンＩ１、Ｉ２、Ｉ３、Ｉ４の順にフォーカス遷移させるように構成されており、コンソール５８は、各ブッキー装置５１を用いて行われる撮影の順番を把握するように構成される。
【０２３５】
そこで、コンソール５８は、放射線画像撮影装置１から送信されてきた間引きデータＤｔ、或いは放射線画像撮影装置１から送信されてきた画像データＤに基づいて自ら作成した間引きデータＤｔを、上記の第１、第２の実施形態で説明したように、当該撮影を行った放射線画像撮影装置１が装填されているブッキー装置５１に対応付けられた表示手段５１ｃに送信する代わりに、上記の順番における次の撮影で放射線画像撮影装置１が装填されて用いられるブッキー装置５１に対応付けられた表示手段５１ｃに送信して、当該表示手段５１ｃに間引きデータＤｔに基づくプレビュー画像ｐ_preを表示させるように構成することが可能である。
【０２３６】
この場合、図２２に示したように、例えば、アイコンＩ２に対応する撮影の次にアイコンＩ３に対応する撮影が行われる場合には、アイコンＩ３に対応する撮影ではアイコンＩ２に対応する撮影の場合と同じ立位撮影用のブッキー装置５１Ａが用いられる。そこで、コンソール５８は、アイコンＩ２に対応する撮影で得られた間引きデータＤｔを、アイコンＩ３に対応する撮影で用いられる立位撮影用のブッキー装置５１Ａに対応付けられた表示手段５１ｃに送信する。
【０２３７】
しかし、例えば、アイコンＩ３に対応する撮影の次に、例えばアイコンＩ１に対応する撮影が行われる場合には、アイコンＩ１に対応する撮影では臥位撮影用のブッキー装置５１が用いられる。そのため、コンソール５８は、アイコンＩ３に対応する撮影で得られた間引きデータＤｔを、アイコンＩ３に対応する撮影で用いられた立位撮影用のブッキー装置５１Ａではなく、次のアイコンＩ１に対応する撮影で用いられる臥位撮影用のブッキー装置５１Ｂに対応付けられた表示手段５１ｃに送信する。
【０２３８】
また、例えば、アイコンＩ３に対応する撮影の次に、例えばアイコンＩ４に対応する撮影が行われる場合には、アイコンＩ４に対応する撮影では放射線画像撮影装置１はブッキー装置５１には装填されず単独の状態で用いられて撮影が行われる。そのため、コンソール５８は、アイコンＩ３に対応する撮影で得られた間引きデータＤｔを、アイコンＩ３に対応する撮影で用いられた立位撮影用のブッキー装置５１Ａではなく、放射線画像撮影装置１を単独の状態で用いた場合に間引きデータＤｔを送信するように設定された特定のブッキー装置５１、すなわち例えば臥位撮影用のブッキー装置５１Ｂに対応付けられた表示手段５１ｃに送信する。
【０２３９】
そのため、放射線の照射が終了して撮影室Ｒａに戻った撮影者が、次の撮影の準備にとりかかるために次の撮影で用いられるブッキー装置５１の所に行くと、当該次の撮影で用いられるブッキー装置５１に対応付けられた表示手段５１ｃ上にプレビュー画像ｐ_preが表示されている状態になる。
【０２４０】
また、次の撮影で放射線画像撮影装置１を単独の状態で用いて撮影を行う場合には、撮影室Ｒａに戻った撮影者が、次の撮影の準備をしながら、予め定められた特定のブッキー装置５１（例えば臥位撮影用のブッキー装置５１Ｂ）に対応付けられた表示手段５１ｃを見れば、その表示手段５１ｃ上にはプレビュー画像ｐ_preが表示されている状態になる。
【０２４１】
そのため、上記のように構成すれば、本実施形態の場合でも、やはり従来のシステムのように撮影者が曝射スイッチ５６を操作して放射線を照射させた後も前室Ｒｂに残ってコンソール５８の表示部５８ａ上にプレビュー画像ｐ_preが表示されるまで待機する必要がなく、撮影者は、放射線の照射終了後、ただちに撮影室Ｒａに移動して表示手段５１ｃ上に表示されたプレビューｐ_preを確認することが可能となる。
【０２４２】
そして、撮影が終わると続けてすぐに次の撮影の準備にとりかかりたいと考える撮影者が、撮影室Ｒａに戻って次の撮影の準備にとりかかる際に、当該次の撮影で用いられるブッキー装置５１や特定のブッキー装置５１に対応付けられた表示手段５１ｃを見れば、その表示手段５１ｃ上にはプレビュー画像ｐ_preが表示されている。
【０２４３】
そのため、撮影者が、速やかに次の撮影の準備を開始したり、再撮影に向けて準備する等の必要な行動をとることが可能となり、撮影者が違和感や焦燥感を覚えることがなくなり、放射線画像撮影システム５０を撮影者にとって使い勝手が良いものとすることが可能となる等の第１、第２の実施形態の場合と同様の有益な効果を奏することが可能となる。
【０２４４】
なお、上記の第１、第２の実施形態による手法、すなわちコンソール５８が間引きデータＤｔを当該撮影で用いられたブッキー装置５１に対応付けられた表示手段５１ｃに送信してプレビュー画像ｐ_preを表示させる手法と、第３の実施形態による手法、すなわちコンソール５８が間引きデータＤｔを当該撮影の次の撮影で用いられるブッキー装置５１に対応付けられた表示手段５１ｃに送信してプレビュー画像ｐ_preを表示させる手法とを、例えばコンソール５８上で切り替えることができるように構成することも可能である。
【０２４５】
このように構成すれば、撮影者が状況に応じて第１、第２の実施形態による手法と第３の実施形態による手法とのいずれの手法で撮影を行うかを選択して指定することが可能となり、撮影者にとって放射線画像撮影システム５０をより使い勝手が良いものとすることが可能となる。
【０２４６】
［第４の実施の形態］
上記のように、放射線技師等の撮影者が、状況に応じていずれの手法で撮影を行うかを選択可能として放射線画像撮影システム５０の使い勝手を良くするという点をさらに拡張して考えるならば、上記の第１〜第３の実施形態に示したように、一連の撮影（すなわち選択画面Ｈ１（図１５参照）で選択した一連の撮影）に関しては各実施形態で示したいずれかの手法で全ての撮影を行うように構成する代わりに、例えば、撮影者が、自らの判断で、各撮影ごとに、或いは任意のタイミングで、間引きデータＤｔを送信する表示手段５１ｃを決定できるように構成することも可能である。
【０２４７】
そして、この場合、例えば、撮影室Ｒａ内に設けられた中継器５４（図１参照）に入力手段を設ける等して、中継器５４を、放射線画像撮影装置１から送信されてきた間引きデータＤｔをいずれの表示手段５１ｃに送信するかを設定できるように構成し、放射線画像撮影装置１から間引きデータＤｔが送信されてくると、中継器５４が、設定された表示手段５１ｃに間引きデータＤｔを送信して、当該表示手段５１ｃに間引きデータＤｔに基づくプレビュー画像ｐ_preを表示させるように構成することが可能である。
【０２４８】
なお、この場合、中継器５４は、間引きデータＤｔをコンソール５８にも送信するように構成してもよいが、必ずしも間引きデータＤｔをコンソール５８に送信しなくてもよい。そして、中継器５４がコンソール５８には間引きデータＤｔを送信しないように構成する場合には、放射線画像撮影装置１は、間引きデータＤｔの送信後、中継器５４を介して全ての画像データＤをコンソール５８に送信するように構成される。
【０２４９】
上記のように構成した場合、放射線技師等の撮影者は、撮影室Ｒａ内で、放射線画像撮影装置１をブッキー装置５１に装填したり、放射線画像撮影装置１や患者や放射線源５２の位置関係等を調整する等して撮影の準備をした後、曝射スイッチ５６を操作するために前室Ｒｂに移動する際に、中継器５４を操作して、いずれの表示手段５１ｃにプレビュー画像ｐ_preを表示させるか、すなわち放射線画像撮影装置１から送信されてくる間引きデータＤｔをいずれの表示手段５１ｃに送信するかを設定する。
【０２５０】
なお、中継器５４の設定が既にプレビュー画像ｐ_preを表示させたい表示手段５１ｃに間引きデータＤｔを送信するように設定されている場合には、新たに設定を行う必要はない。
【０２５１】
そして、前室Ｒｂに移動して曝射スイッチ５６を操作して、放射線源５２から被写体に対して放射線を照射させる。そして、本実施形態においても、撮影者は、放射線の照射が終了した後、ただちに撮影室Ｒａに移動することができる。
【０２５２】
そして、プレビュー画像ｐ_preを表示させるように中継器５４に設定した表示手段５１ｃの所に撮影者が行くと、中継器５４を介して放射線画像撮影装置１から間引きデータＤｔが送信された当該表示手段５１ｃ上には既にプレビュー画像ｐ_preが既に表示されている。そのため、撮影室Ｒａに移動した撮影者は、表示手段５１ｃ上に表示されているプレビュー画像ｐ_preをすぐに見ることができ、再撮影の要否等を速やかに判断することが可能となる。
【０２５３】
そのため、上記のように構成すれば、やはり従来のシステムのように撮影者が曝射スイッチ５６を操作して放射線を照射させた後も前室Ｒｂに残ってコンソール５８の表示部５８ａ上にプレビュー画像ｐ_preが表示されるまで待機する必要がなく、撮影者は、放射線の照射終了後、ただちに撮影室Ｒａに移動して、表示手段５１ｃ上に表示されたプレビューｐ_preをすぐに見て確認することが可能となる。
【０２５４】
そのため、撮影者が、速やかに次の撮影の準備を開始したり、再撮影に向けて準備する等の必要な行動をとることが可能となり、撮影者が違和感や焦燥感を覚えることがなくなり、放射線画像撮影システム５０を撮影者にとって使い勝手が良いものとすることが可能となる等の上記の各実施形態の場合と同様の有益な効果を奏することが可能となる。
【０２５５】
また、撮影者が、中継器５４で自らが設定した表示手段５１ｃにプレビュー画像ｐ_preを表示させることが可能となるため、撮影者が自らに都合がよい表示手段５１ｃを、撮影ごとに、或いは任意のタイミングで、自由に設定することが可能となり、この点でも、撮影者にとって放射線画像撮影システム５０が使い勝手の良いものとなる。
【０２５６】
なお、上記の各実施形態において、選択画面Ｈ１（図１５参照）で選択した一連の撮影の最後の撮影が終了した時点では、撮影者は、次の撮影のためにただちに撮影室Ｒａに戻る必要はなく、前室Ｒｂのコンソール５８の表示部５８ａ上でプレビュー画像ｐ_preを確認できれば十分である場合もある。
【０２５７】
そのため、上記の各実施形態において、選択した一連の撮影の最後の撮影が終了して、放射線画像撮影装置１から送信されてきた間引きデータＤｔ、或いは送信されてきた画像データＤに基づいてコンソール５８で作成した間引きデータＤｔについては、コンソール５８から撮影室Ｒａ内のいずれの表示手段５１ｃにも送信せず、コンソール５８の表示部５８ａ上にのみプレビュー画像ｐ_preを表示するように構成することも可能である。
【０２５８】
なお、この場合、すなわち一連の撮影の最後の撮影が終了した後も、コンソール５８から撮影室Ｒａ内のいずれかの表示手段５１ｃに間引きデータＤｔを送信して、当該表示手段５１ｃ上にプレビュー画像ｐ_preを表示させるように構成することも可能である。
【０２５９】
また、その他、本発明が上記の実施形態や変形例に限定されず、適宜変更可能であることはいうまでもない。
【符号の説明】
【０２６０】
１  放射線画像撮影装置（可搬型放射線画像撮影装置）
７  放射線検出素子
５０  放射線画像撮影システム
５１  ブッキー装置
５１ｃ  表示手段
５２  放射線源
５４  中継器
５８  コンソール
Ｄ  画像データ
Ｄｔ  間引きデータ
ｐ_pre  プレビュー画像
Ｒａ  撮影室
【図１】
0005585390.tif 000002
【図２】
0005585390.tif 000003
【図３】
0005585390.tif 000004
【図４】
0005585390.tif 000005
【図５】
0005585390.tif 000006
【図６】
0005585390.tif 000007
【図７】
0005585390.tif 000008
【図８】
0005585390.tif 000009
【図９】
0005585390.tif 000010
【図１０】
0005585390.tif 000011
【図１１】
0005585390.tif 000012
【図１２】
0005585390.tif 000013
【図１３】
0005585390.tif 000014
【図１４】
0005585390.tif 000015
【図１５】
0005585390.tif 000016
【図１６】
0005585390.tif 000017
【図１７】
0005585390.tif 000018
【図１８】
0005585390.tif 000019
【図１９】
0005585390.tif 000020
【図２０】
0005585390.tif 000021
【図２１】
0005585390.tif 000022
【図２２】
0005585390.tif 000023
【図２３】
0005585390.tif 000024